(57)【要約】  本発明は、通信技術の分野に関し、伝送品質目標が低遅延及び高信頼性サービスの要件及びシステム効率要件を同時に満たすことができないという従来の問題を解決するために、データ伝送方法、装置、及びシステムを開示する。特定のソリューションは次の通りである。第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳに基づき伝送されるべきデータを符号化及び変調し、第２通信装置へ伝送されるべきデータのＭＣＳ及び符号化及び変調された伝送されるべきデータを送信する。本発明は、データ伝送に適用される。
2019522393.tif 000002
【特許請求の範囲】
【請求項１】
データ伝送方法であって、
第１通信装置により、第１伝送品質目標を取得するステップと、
前記第１通信装置により、第１チャネル品質情報を取得するステップであって、前記第１チャネル品質情報は、前記第１通信装置と第２通信装置との間のチャネルの品質を示すために使用され、前記第１チャネル品質情報は前記第１伝送品質目標に基づき取得される、ステップと、
前記第１通信装置により、前記第１伝送品質目標及び前記第１チャネル品質情報に基づき、伝送されるべきデータの変調及び符号化方式ＭＣＳを決定し、前記伝送されるべきデータの前記ＭＣＳに基づき、前記伝送されるべきデータを符号化及び変調するステップと、
前記第１通信装置により、前記伝送されるべきデータの前記ＭＣＳ及び前記符号化及び変調された伝送されるべきデータを前記第２通信装置へ送信するステップと、
を含む方法。
【請求項２】
第１通信装置により、第１伝送品質目標を取得する前記ステップは、
前記第１通信装置により、前記伝送されるべきデータの遅延要件及び信頼性要件に基づき、複数の伝送品質目標から前記第１伝送品質目標を決定するステップを含む、請求項１に記載の方法。
【請求項３】
前記方法は、
前記第１通信装置により、前記第２通信装置へ前記第１伝送品質目標を送信するステップ、を更に含み、
前記第１通信装置により、第１チャネル品質情報を取得する前記ステップは、
前記第１通信装置により、前記第２通信装置により送信された前記第１チャネル品質情報を受信するステップを含む、
請求項２に記載の方法。
【請求項４】
前記第１通信装置により、第１チャネル品質情報を取得する前記ステップは、
前記第１通信装置により、前記第２通信装置により送信された第２チャネル品質情報を受信するステップであって、前記第２チャネル品質情報は、前記第１通信装置と前記第２通信装置との間の前記チャネルの且つ第２伝送品質目標に基づき前記第２通信装置により測定された品質である、ステップと、
前記第２チャネル品質情報に基づき、前記第１チャネル品質情報を取得するステップと、
を含む、請求項１又は２に記載の方法。
【請求項５】
第１通信装置により、第１伝送品質目標を取得する前記ステップは、
前記第１通信装置により、前記第２通信装置により送信された前記第１伝送品質目標を受信するステップを含む、請求項１に記載の方法。
【請求項６】
前記第１通信装置により、第１チャネル品質情報を取得する前記ステップは、
前記第１通信装置により、前記第２通信装置により送信されたサウンディング信号のチャネル品質を測定し、前記第１チャネル品質情報を生成するステップを含む、請求項１又は２に記載の方法。
【請求項７】
前記第１通信装置により、第１チャネル品質情報を取得する前記ステップは、
前記第１通信装置により、前記第２通信装置により送信された前記第１チャネル品質情報を受信するステップを含む、請求項１又は２に記載の方法。
【請求項８】
前記第１通信装置により、前記第１伝送品質目標及び前記第１チャネル品質情報に基づき、伝送されるべきデータのＭＣＳを決定する前記ステップは、
前記第１通信装置により、プリセットマッピング関係又はプリセットマッピングリストに従い、並びに前記第１伝送品質目標及び前記第１チャネル品質情報に基づき、前記伝送されるべきデータの前記ＭＣＳを決定するステップを含む、請求項１乃至７のいずれか一項に記載の方法。
【請求項９】
前記伝送品質目標は、目標ブロック誤り率ＢＬＥＲ、目標信号対雑音比ＳＮＲ、サービス種類、伝送目標に関連するパラメータ、のうちの少なくとも１つを含む、請求項１乃至８のいずれか一項に記載の方法。
【請求項１０】
前記第１チャネル品質情報は、チャネル品質指示子ＣＱＩ、プリコーディング行列指示子ＰＭＩ、及びランク指示ＲＩ、のうちの少なくとも１つを含む、請求項１乃至９のいずれか一項に記載の方法。
【請求項１１】
データ伝送方法であって、
第２通信装置により、伝送されるべきデータの且つ第１通信装置により送信された変調及び符号化方式ＭＣＳを受信するステップであって、前記伝送されるべきデータの前記ＭＣＳは、前記第１伝送品質目標及び前記第１チャネル品質情報に基づき前記第１通信装置により決定される、ステップと、
前記第２通信装置により、前記第１通信装置により送信された前記伝送されるべきデータを受信し、前記伝送されるべきデータの前記ＭＣＳに基づき前記伝送されるべきデータを復調及び復号するステップと、
を含む方法。
【請求項１２】
第２通信装置により、伝送されるべきデータの且つ第１通信装置により送信された変調及び符号化方式ＭＣＳを受信する前記ステップの前に、前記方法は、
前記第２通信装置により、前記第１伝送品質目標を取得し、前記第１伝送品質目標に基づき前記第１チャネル品質情報を生成するステップと、
前記第２通信装置により、前記第１通信装置へ前記第１チャネル品質情報を送信するステップと、
を更に含む請求項１１に記載の方法。
【請求項１３】
前記第２通信装置により、前記第１伝送品質目標を取得する前記ステップは、
前記第２通信装置により、前記伝送されるべきデータの遅延要件及び信頼性要件に基づき、複数の伝送品質目標から前記第１伝送品質目標を決定するステップを含む、請求項１２に記載の方法。
【請求項１４】
前記方法は、
第２通信装置により、前記第１通信装置へ前記第１伝送品質目標を送信するステップ、を更に含む請求項１３に記載の方法。
【請求項１５】
前記第２通信装置により、前記第１伝送品質目標を取得する前記ステップは、
前記第２通信装置により、前記第１通信装置により送信された前記第１伝送品質目標を受信するステップを含む、請求項１２に記載の方法。
【請求項１６】
第２通信装置により、伝送されるべきデータの且つ第１通信装置により送信された変調及び符号化方式ＭＣＳを受信する前記ステップの前に、前記方法は、
前記第２通信装置により、前記伝送されるべきデータの遅延要件及び信頼性要件に基づき、複数の伝送品質目標から前記第１伝送品質目標を決定するステップと、
前記第２通信装置により、前記第１通信装置へ前記第１伝送品質目標を送信するステップと、
を更に含む請求項１１に記載の方法。
【請求項１７】
第２通信装置により、伝送されるべきデータの且つ第１通信装置により送信された変調及び符号化方式ＭＣＳを受信する前記ステップの前に、前記方法は、
前記第２通信装置により、第２伝送品質目標に基づきチャネルを測定し、第２チャネル品質情報を生成するステップと、
前記第２通信装置により、前記第１通信装置へ前記第２チャネル品質情報を送信するステップと、
を更に含む請求項１１に記載の方法。
【請求項１８】
前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される、請求項１１乃至１７のいずれか一項に記載の方法。
【請求項１９】
前記伝送品質目標は、目標ブロック誤り率ＢＬＥＲ、目標信号対雑音比ＳＮＲ、サービス種類、伝送目標に関連するパラメータ、のうちの少なくとも１つを含む、請求項１１乃至１８のいずれか一項に記載の方法。
【請求項２０】
前記第１チャネル品質情報は、チャネル品質指示子ＣＱＩ、プリコーディング行列指示子ＰＭＩ、及びランク指示ＲＩ、のうちの少なくとも１つを含む、請求項１１乃至１９のいずれか一項に記載の方法。
【請求項２１】
データ伝送方法であって、
第１通信装置により、第１伝送品質目標を取得するステップと、
前記第１通信装置により、第１チャネル品質情報を取得するステップであって、前記第１チャネル品質情報は、前記第１通信装置と第２通信装置との間のチャネルの品質を示すために使用され、前記第１チャネル品質情報は前記第１伝送品質目標に基づき取得される、ステップと、
前記第１通信装置により、前記第１伝送品質目標及び前記第１チャネル品質情報に基づき、伝送されるべきデータの変調及び符号化方式ＭＣＳを決定するステップと、
前記第１通信装置により、前記第２通信装置へ前記伝送されるべきデータの前記ＭＣＳを送信するステップと、
前記第１通信装置により、前記伝送されるべきデータの前記ＭＣＳに基づき前記第２通信装置により符号化及び変調された前記伝送されるべきデータを受信するステップと、
を含む方法。
【請求項２２】
データ伝送方法であって、
第２通信装置により、伝送されるべきデータの且つ第１通信装置により送信された変調及び符号化方式ＭＣＳを受信するステップであって、前記伝送されるべきデータの前記ＭＣＳは、前記第１伝送品質目標及び前記第１チャネル品質情報に基づき前記第１通信装置により決定される、ステップと、
前記第２通信装置により、前記伝送されるべきデータの前記ＭＣＳに基づき前記伝送されるべきデータを符号化及び変調し、前記第１通信装置へ前記符号化及び変調した伝送されるべきデータを送信するステップと、
を含む方法。
【請求項２３】
第１通信装置であって、前記第１通信装置は処理ユニットと送信ユニットとを含み、
前記処理ユニットは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記処理ユニットは、前記第１伝送品質目標及び前記第１チャネル品質情報に基づき、伝送されるべきデータの変調及び符号化方式ＭＣＳを決定し、前記伝送されるべきデータの前記ＭＣＳに基づき、前記伝送されるべきデータを符号化及び変調するよう更に構成され、
前記送信ユニットは、前記第２通信装置へ、前記伝送されるべきデータの前記ＭＣＳ及び前記処理ユニットにより符号化及び変調された前記伝送されるべきデータを送信するよう構成される、
第１通信装置。
【請求項２４】
前記処理ユニットは、前記伝送されるべきデータの遅延要件及び信頼性要件に基づき、複数の伝送品質目標から前記第１伝送品質目標を決定するよう更に構成される、請求項２３に記載の装置。
【請求項２５】
前記第１通信装置は、受信ユニットを更に含み、
前記送信ユニットは、前記第２通信装置へ、前記第１伝送品質目標を送信するよう更に構成され、
前記処理ユニットは、前記受信ユニットを用いて、前記第２通信装置により送信された前記第１チャネル品質情報を受信するよう更に構成される、
請求項２４に記載の装置。
【請求項２６】
前記第１通信装置は、前記第２通信装置により送信された第２チャネル品質情報を受信するよう構成される受信ユニットを更に含み、前記第２チャネル品質情報は、前記第１通信装置と前記第２通信装置との間の前記チャネルの且つ第２送信品質目標に基づき前記第２通信装置により測定された品質であり、
前記処理ユニットは、前記第２チャネル品質情報に基づき、前記第１チャネル品質情報を取得するよう更に構成される、
請求項２３又は２４に記載の装置。
【請求項２７】
前記第１通信装置は、受信ユニットを更に含み、
前記処理ユニットは、前記受信ユニットを用いて、前記第２通信装置により送信された前記第１伝送品質目標を受信するよう更に構成される、請求項２３に記載の装置。
【請求項２８】
前記処理ユニットは、前記第２通信装置により送信されたサウンディング信号のチャネル品質を測定し、前記第１チャネル品質情報を生成するよう更に構成される、請求項２３又は２４に記載の装置。
【請求項２９】
前記第１通信装置は、受信ユニットを更に含み、
前記処理ユニットは、前記受信ユニットを用いて、前記第２通信装置により送信された前記第１チャネル品質情報を受信するよう更に構成される、請求項２３又は２４に記載の装置。
【請求項３０】
前記処理ユニットは、プリセットマッピング関係又はプリセットマッピングリストに従い、並びに前記第１伝送品質目標及び前記第１チャネル品質情報に基づき、前記伝送されるべきデータの前記ＭＣＳを決定するよう更に構成される、請求項２３乃至２９のいずれか一項に記載の装置。
【請求項３１】
前記伝送品質目標は、目標ブロック誤り率ＢＬＥＲ、目標信号対雑音比ＳＮＲ、サービス種類、伝送目標に関連するパラメータ、のうちの少なくとも１つを含む、請求項２３乃至３０のいずれか一項に記載の装置。
【請求項３２】
前記第１チャネル品質情報は、チャネル品質指示子ＣＱＩ、プリコーディング行列指示子ＰＭＩ、及びランク指示ＲＩ、のうちの少なくとも１つを含む、請求項２３乃至３１のいずれか一項に記載の装置。
【請求項３３】
第２通信装置であって、前記第２通信装置は処理ユニットと受信ユニットとを含み、
前記受信ユニットは、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記受信ユニットは、前記第１通信装置により送信された前記伝送されるべきデータを受信するよう更に構成され、
前記処理ユニットは、前記伝送されるべきデータの前記ＭＣＳに基づき、前記伝送されるべきデータを復調及び復号するよう構成される、
第２通信装置。
【請求項３４】
前記処理ユニットは、前記第１伝送品質目標を取得し、前記第１伝送品質目標に基づき前記第１チャネル品質情報を生成するよう更に構成され、
前記送信ユニットは、前記第１通信装置へ前記第１チャネル品質情報を送信するよう更に構成される、
請求項３３に記載の装置。
【請求項３５】
前記処理ユニットは、前記伝送されるべきデータの遅延要件及び信頼性要件に基づき、複数の伝送品質目標から前記第１伝送品質目標を決定するよう更に構成される、請求項３４に記載の装置。
【請求項３６】
前記送信ユニットは、前記第１通信装置へ前記第１伝送品質目標を送信するよう更に構成される、請求項３５に記載の装置。
【請求項３７】
前記処理ユニットは、前記受信ユニットを用いて、前記第１通信装置により送信された前記第１伝送品質目標を受信するよう更に構成される、請求項３４に記載の装置。
【請求項３８】
前記処理ユニットは、前記伝送されるべきデータの遅延要件及び信頼性要件に基づき、複数の伝送品質目標から前記第１伝送品質目標を決定するよう更に構成され、
前記送信ユニットは、前記第１通信装置へ前記第１伝送品質目標を送信するよう更に構成される、
請求項３３に記載の装置。
【請求項３９】
前記処理ユニットは、第２伝送品質目標に基づきチャネルを測定し、第２チャネル品質情報を生成するよう更に構成され、
前記送信ユニットは、前記第１通信装置へ前記第２チャネル品質情報を送信するよう更に構成される、
請求項３３に記載の装置。
【請求項４０】
前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される、請求項３３乃至３９のいずれか一項に記載の装置。
【請求項４１】
前記伝送品質目標は、目標ブロック誤り率ＢＬＥＲ、目標信号対雑音比ＳＮＲ、サービス種類、伝送目標に関連するパラメータ、のうちの少なくとも１つを含む、請求項３３乃至４０のいずれか一項に記載の装置。
【請求項４２】
前記第１チャネル品質情報は、チャネル品質指示子ＣＱＩ、プリコーディング行列指示子ＰＭＩ、及びランク指示ＲＩ、のうちの少なくとも１つを含む、請求項３３乃至４１のいずれか一項に記載の装置。
【請求項４３】
第１通信装置であって、処理ユニットと送信ユニットと受信ユニットとを含み、
前記処理ユニットは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記処理ユニットは、前記第１伝送品質目標及び前記第１チャネル品質情報に基づき、伝送されるべきデータの変調及び符号化方式ＭＣＳを決定するよう更に構成され、
前記送信ユニットは、前記第２通信装置へ、前記伝送されるべきデータの前記ＭＣＳを送信するよう構成され、
前記受信ユニットは、前記伝送されるべきデータの前記ＭＣＳに基づき前記第２通信装置により符号化及び変調された前記伝送されるべきデータを受信するよう構成される、
第１通信装置。
【請求項４４】
第２通信装置であって、処理ユニットと送信ユニットと受信ユニットとを含み、
前記受信ユニットは、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記処理ユニットは、前記伝送されるべきデータの前記ＭＣＳに基づき、前記伝送されるべきデータを符号化及び変調するよう構成され、
前記送信ユニットは、前記第１通信装置へ、前記符号化及び変調された伝送されるべきデータを送信するよう更に構成される、
第２通信装置。
【請求項４５】
無線通信システムであって、第１通信装置と第２通信装置とを含み、
前記第１通信装置は請求項２３乃至３２のいずれか一項に記載の第１通信装置であり、前記第２通信装置は請求項３３乃至４２のいずれか一項に記載の第２通信装置である、無線通信システム。
【請求項４６】
無線通信システムであって、第１通信装置と第２通信装置とを含み、
前記第１通信装置は請求項４３に記載の第１通信装置であり、前記第２通信装置は請求項４４に記載の第２通信装置である、無線通信システム。
【発明の詳細な説明】
【技術分野】
【０００１】
本発明は、通信技術の分野に関し、特に、データ伝送方法、装置、及びシステムに関する。
【背景技術】
【０００２】
ロングタームエボリューション（英語：Long  Term  Evolution、略してＬＴＥ）システム又は第３世代パートナシッププロジェクト（英語：３rd  Generation  Partnership  Project、略して３ＧＰＰ）のような無線通信システムでは、２つの通信装置間のデータ伝送中に、変調及び符号化方式（英語：Modulation  and  Coding  Scheme、略してＭＣＳ）は、プリセット伝送品質目標に基づき決定される必要があり、データは決定された変調及び符号化方式に基づき符号化及び変調され、次に送信される。
【０００３】
従来、比較的高い信頼性を要求するサービスでは、伝送品質目標は複数の再送を通じてのみ保証できる。しかしながら、複数の再送は、伝送遅延の増大を引き起こす場合があり、結果として、極めて低い遅延及び比較的高い信頼性の両方を要求するサービスの要件を満たすことができない。さらに、伝送品質目標の向上は、システム伝送効率を低下させることがある。
【０００４】
相応して、従来、伝送品質目標は、低遅延及び高信頼性サービスの要件とシステム効率要件を同時に満たすことができない。
【発明の概要】
【０００５】
伝送品質目標が低遅延及び高信頼性サービスの要件及びシステム効率要件を同時に満たすことができないという従来の問題を解決するために、本発明は、データ伝送方法、装置、及びシステムを提供する。技術的ソリューションは以下の通りである。
【０００６】
第１の態様によると、本発明は、データ伝送方法であって、
第１通信装置により、第１伝送品質目標を取得するステップと、
前記第１通信装置により、第１チャネル品質情報を取得するステップであって、前記第１チャネル品質情報は、前記第１通信装置と第２通信装置との間のチャネルの品質を示すために使用され、前記第１チャネル品質情報は前記第１伝送品質目標に基づき取得される、ステップと、
前記第１通信装置により、前記第１伝送品質目標及び前記第１チャネル品質情報に基づき、伝送されるべきデータの変調及び符号化方式ＭＣＳを決定し、前記伝送されるべきデータの前記ＭＣＳに基づき、前記伝送されるべきデータを符号化及び変調するステップと、
前記第１通信装置により、前記伝送されるべきデータの前記ＭＣＳ及び前記符号化及び変調された伝送されるべきデータを前記第２通信装置へ送信するステップと、を含む方法を提供する。
【０００７】
可能な実装では、第１通信装置により、第１伝送品質目標を取得する前記ステップは、前記第１通信装置により、前記伝送されるべきデータの遅延要件及び信頼性要件に基づき、複数の伝送品質目標から前記第１伝送品質目標を決定するステップを含む。例えば、伝送されるべきデータの遅延要件が低いほど、高い第１伝送品質目標を示し、伝送されるべきデータの信頼性要件が高いほど、高い第１伝送品質目標を示す。さらに、前記方法は、前記第１通信装置により、前記第２通信装置へ前記第１伝送品質目標を送信するステップ、を更に含み、前記第１通信装置により、第１チャネル品質情報を取得する前記ステップは、前記第１通信装置により、前記第２通信装置により送信された前記第１チャネル品質情報を受信するステップを含む。
【０００８】
可能な実装では、前記第１通信装置により、第１チャネル品質情報を取得する前記ステップは、
前記第１通信装置により、前記第２通信装置により送信された第２チャネル品質情報を受信するステップであって、前記第２チャネル品質情報は、前記第１通信装置と前記第２通信装置との間のチャネルの且つ前記第２通信装置により第２伝送品質目標に基づき測定された品質である、ステップと、
前記第１通信装置が、前記第２伝送品質目標は前記第１伝送品質目標と同じであると決定すると、前記第２チャネル品質情報を前記第１チャネル品質情報として用いるステップと、
前記第１通信装置が、前記第２伝送品質目標は前記第１伝送品質目標と異なると決定すると、前記第２チャネル品質情報に基づき前記第１チャネル品質情報を取得するステップと、を含む。
【０００９】
第２伝送品質目標は、第１通信装置及び第２通信装置により予め格納された伝送品質目標である。第２伝送品質目標は、第１通信装置及び第２通信装置により合意された伝送品質目標であって良い。
【００１０】
可能な実装では、第１通信装置により、第１伝送品質目標を取得する前記ステップは、
前記第１通信装置により、前記第２通信装置により送信された前記第１伝送品質目標を受信するステップを含む。
【００１１】
可能な実装では、前記第１通信装置により、第１チャネル品質情報を取得する前記ステップは、
前記第１通信装置により、前記第２通信装置により送信されたサウンディング信号のチャネル品質を測定し、前記第１チャネル品質情報を生成するステップを含む。
【００１２】
可能な実装では、前記第１通信装置により、第１チャネル品質情報を取得する前記ステップは、
前記第１通信装置により、前記第２通信装置により送信された前記第１チャネル品質情報を受信するステップを含む。
【００１３】
可能な実装では、前記第１通信装置により、前記第１伝送品質目標及び前記第１チャネル品質情報に基づき、伝送されるべきデータのＭＣＳを決定する前記ステップは、
前記第１通信装置により、プリセットマッピング関係又はプリセットマッピングリストに従い、並びに前記第１伝送品質目標及び前記第１チャネル品質情報に基づき、前記伝送されるべきデータの前記ＭＣＳを決定するステップを含む。
【００１４】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばハイブリッド自動再送要求（英語：Hybrid  Automatic  Repeat  Request、略してＨＡＲＱ）の数に関して、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００１５】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００１６】
第２の態様によると、本発明は、データ伝送方法であって、
第２通信装置により、伝送されるべきデータの且つ第１通信装置により送信された変調及び符号化方式ＭＣＳを受信するステップであって、前記伝送されるべきデータの前記ＭＣＳは、前記第１伝送品質目標及び前記第１チャネル品質情報に基づき前記第１装置により決定される、ステップと、
前記第２通信装置により、前記第１装置により送信された前記伝送されるべきデータを受信し、前記伝送されるべきデータの前記ＭＣＳに基づき前記伝送されるべきデータを復調及び復号するステップと、を含む方法を提供する。
【００１７】
可能な実装では、第２通信装置により、伝送されるべきデータの且つ第１通信装置により送信された変調及び符号化方式ＭＣＳを受信する前記ステップの前に、前記方法は、
前記第２通信装置により、前記第１伝送品質目標を取得し、前記第１伝送品質目標に基づき前記第１チャネル品質情報を生成するステップと、
前記第２通信装置により、前記第１通信装置へ前記第１チャネル品質情報を送信するステップと、を更に含む。
【００１８】
さらに、前記第２通信装置により、前記第１伝送品質目標を取得する前記ステップは、
前記第２通信装置により、前記伝送されるべきデータの遅延要件及び信頼性要件に基づき、複数の伝送品質目標から前記第１伝送品質目標を決定するステップを含む。さらに、前記方法は、前記第２通信装置により、前記第１通信装置へ前記第１伝送品質目標を送信するステップ、を更に含む。
【００１９】
代替として、前記第２通信装置により、前記第１伝送品質目標を取得する前記ステップは、
前記第２通信装置により、前記第１通信装置により送信された前記第１伝送品質目標を受信するステップを含む。
【００２０】
可能な実装では、第２通信装置により、伝送されるべきデータの且つ第１通信装置により送信された変調及び符号化方式ＭＣＳを受信する前記ステップの前に、前記第２通信装置は前記第１伝送品質目標を取得し、前記方法は、
前記第２通信装置により、前記伝送されるべきデータの遅延要件及び信頼性要件に基づき、複数の伝送品質目標から前記第１伝送品質目標を決定するステップと、
前記第２通信装置により、前記第１通信装置へ前記第１伝送品質目標を送信するステップと、を更に含む。
【００２１】
可能な実装では、第２通信装置により、伝送されるべきデータの且つ第１通信装置により送信された変調及び符号化方式ＭＣＳを受信する前記ステップの前に、前記方法は、
前記第２通信装置により、前記第２伝送品質目標を測定し、前記第２チャネル品質情報を生成するステップと、
前記第２通信装置により、前記第１通信装置へ前記第２チャネル品質情報を送信するステップと、を更に含む。
【００２２】
第２伝送品質目標は、第１通信装置及び第２通信装置により予め格納された伝送品質目標である。第２伝送品質目標は、第１通信装置及び第２通信装置により合意された伝送品質目標であって良い。
【００２３】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００２４】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００２５】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００２６】
第３の態様によると、本発明は、データ伝送方法であって、前記第２通信装置から前記第１通信装置へデータを送信する方法であって、第１の態様又は第１の態様の任意の可能な実装で記載されたデータ伝送方法に対応する方法を提供する。前記方法は、
第１通信装置により、第１伝送品質目標を取得するステップと、
前記第１通信装置により、第１チャネル品質情報を取得するステップであって、前記第１チャネル品質情報は、前記第１通信装置と第２通信装置との間のチャネルの品質を示すために使用され、前記第１チャネル品質情報は前記第１伝送品質目標に基づき取得される、ステップと、
前記第１通信装置により、前記第１伝送品質目標及び前記第１チャネル品質情報に基づき、伝送されるべきデータの変調及び符号化方式ＭＣＳを決定するステップと、
前記第１通信装置により、前記第２通信装置へ前記伝送されるべきデータの前記ＭＣＳを送信するステップと、
前記第１通信装置により、前記伝送されるべきデータの前記ＭＣＳに基づき前記第２通信装置により符号化及び変調された前記伝送されるべきデータを受信するステップと、を含む。
【００２７】
可能な実装では、第１通信装置により、第１伝送品質目標を取得する前記ステップは、
前記第１通信装置により、前記伝送されるべきデータの遅延要件及び信頼性要件に基づき、複数の伝送品質目標から前記第１伝送品質目標を決定するステップを含む。例えば、伝送されるべきデータの遅延要件が低いほど、高い第１伝送品質目標を示し、伝送されるべきデータの信頼性要件が高いほど、高い第１伝送品質目標を示す。さらに、前記方法は、前記第１通信装置により、前記第２通信装置へ前記第１伝送品質目標を送信するステップ、を更に含み、前記第１通信装置により、第１チャネル品質情報を取得する前記ステップは、前記第１通信装置により、前記第２通信装置により送信された前記第１チャネル品質情報を受信するステップを含む。
【００２８】
可能な実装では、前記第１通信装置により、第１チャネル品質情報を取得する前記ステップは、
前記第１通信装置により、前記第２通信装置により送信された第２チャネル品質情報を受信するステップであって、前記第２チャネル品質情報は、前記第１通信装置と前記第２通信装置との間のチャネルの且つ前記第２通信装置により第２伝送品質目標に基づき測定された品質である、ステップと、
前記第１通信装置が、前記第２伝送品質目標は前記第１伝送品質目標と同じであると決定すると、前記第２チャネル品質情報を前記第１チャネル品質情報として用いるステップと、
前記第１通信装置が、前記第２伝送品質目標は前記第１伝送品質目標と異なると決定すると、前記第２チャネル品質情報に基づき前記第１チャネル品質情報を取得するステップと、を含む。
【００２９】
第２伝送品質目標は、第１通信装置及び第２通信装置により予め格納された伝送品質目標である。第２伝送品質目標は、第１通信装置及び第２通信装置により合意された伝送品質目標であって良い。
【００３０】
可能な実装では、第１通信装置により、第１伝送品質目標を取得する前記ステップは、
前記第１通信装置により、前記第２通信装置により送信された前記第１伝送品質目標を受信するステップを含む。
【００３１】
可能な実装では、前記第１通信装置により、第１チャネル品質情報を取得する前記ステップは、
前記第１通信装置により、前記第２通信装置により送信されたサウンディング信号のチャネル品質を測定し、前記第１チャネル品質情報を生成するステップを含む。
【００３２】
可能な実装では、前記第１通信装置により、第１チャネル品質情報を取得する前記ステップは、
前記第１通信装置により、前記第２通信装置により送信された前記第１チャネル品質情報を受信するステップを含む。
【００３３】
可能な実装では、前記第１通信装置により、前記第１伝送品質目標及び前記第１チャネル品質情報に基づき、伝送されるべきデータのＭＣＳを決定する前記ステップは、
前記第１通信装置により、プリセットマッピング関係又はプリセットマッピングリストに従い、並びに前記第１伝送品質目標及び前記第１チャネル品質情報に基づき、前記伝送されるべきデータの前記ＭＣＳを決定するステップを含む。
【００３４】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００３５】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００３６】
第４の態様によると、本発明は、データ伝送方法であって、前記第２通信装置から前記第１通信装置へデータを送信する方法であって、第２の態様又は第２の態様の任意の可能な実装で記載されたデータ伝送方法に対応する方法を提供する。前記方法は、
第２通信装置により、伝送されるべきデータの且つ第１通信装置により送信された変調及び符号化方式ＭＣＳを受信するステップであって、前記伝送されるべきデータの前記ＭＣＳは、前記第１伝送品質目標及び前記第１チャネル品質情報に基づき前記第１装置により決定される、ステップと、
前記第２通信装置により、前記伝送されるべきデータの前記ＭＣＳに基づき前記伝送されるべきデータを符号化及び変調し、前記第１通信装置へ前記符号化及び変調した伝送されるべきデータを送信するステップと、を含む。
【００３７】
可能な実装では、第２通信装置により、伝送されるべきデータの且つ第１通信装置により送信された変調及び符号化方式ＭＣＳを受信する前記ステップの前に、前記方法は、
前記第２通信装置により、前記第１伝送品質目標を取得し、前記第１伝送品質目標に基づき前記第１チャネル品質情報を生成するステップと、
前記第２通信装置により、前記第１通信装置へ前記第１チャネル品質情報を送信するステップと、を更に含む。
【００３８】
さらに、前記第２通信装置により、前記第１伝送品質目標を取得する前記ステップは、
前記第２通信装置により、前記伝送されるべきデータの遅延要件及び信頼性要件に基づき、複数の伝送品質目標から前記第１伝送品質目標を決定するステップを含む。さらに、前記方法は、前記第２通信装置により、前記第１通信装置へ前記第１伝送品質目標を送信するステップ、を更に含む。
【００３９】
代替として、前記第２通信装置により、前記第１伝送品質目標を取得する前記ステップは、
前記第２通信装置により、前記第１通信装置により送信された前記第１伝送品質目標を受信するステップを含む。
【００４０】
可能な実装では、第２通信装置により、伝送されるべきデータの且つ第１通信装置により送信された変調及び符号化方式ＭＣＳを受信する前記ステップの前に、前記第２通信装置は前記第１伝送品質目標を取得し、前記方法は、
前記第２通信装置により、前記伝送されるべきデータの遅延要件及び信頼性要件に基づき、複数の伝送品質目標から前記第１伝送品質目標を決定するステップと、
前記第２通信装置により、前記第１通信装置へ前記第１伝送品質目標を送信するステップと、を更に含む。
【００４１】
可能な実装では、第２通信装置により、伝送されるべきデータの且つ第１通信装置により送信された変調及び符号化方式ＭＣＳを受信する前記ステップの前に、前記方法は、
前記第２通信装置により、前記第２伝送品質目標を測定し、前記第２チャネル品質情報を生成するステップと、
前記第２通信装置により、前記第１通信装置へ前記第２チャネル品質情報を送信するステップと、を更に含む。
【００４２】
第２伝送品質目標は、第１通信装置及び第２通信装置により予め格納された伝送品質目標である。第２伝送品質目標は、第１通信装置及び第２通信装置により合意された伝送品質目標であって良い。
【００４３】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００４４】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００４５】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００４６】
第５の態様によると、本発明は、第１通信装置であって、前記第１通信装置は処理ユニットと送信ユニットとを含み、
前記処理ユニットは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記処理ユニットは、前記第１伝送品質目標及び前記第１チャネル品質情報に基づき、伝送されるべきデータの変調及び符号化方式ＭＣＳを決定し、前記伝送されるべきデータの前記ＭＣＳに基づき、前記伝送されるべきデータを符号化及び変調するよう更に構成され、
前記送信ユニットは、前記第２通信装置へ、前記伝送されるべきデータの前記ＭＣＳ及び前記処理ユニットにより符号化及び変調された前記伝送されるべきデータを送信するよう構成される、第１通信装置を提供する。
【００４７】
可能な実装では、前記処理ユニットは、前記伝送されるべきデータの遅延要件及び信頼性要件に基づき、複数の伝送品質目標から前記第１伝送品質目標を決定するよう更に構成される。さらに、前記第１通信装置は、受信ユニットを更に含み、前記送信ユニットは、前記第２通信装置へ、前記第１伝送品質目標を送信するよう更に構成され、前記処理ユニットは、前記受信ユニットを用いて、前記第２通信装置により送信された前記第１チャネル品質情報を受信するよう更に構成される。
【００４８】
可能な実装では、前記第１通信装置は、前記第２通信装置により送信された第２チャネル品質情報を受信するよう構成される受信ユニットを更に含み、前記第２チャネル品質情報は、前記第１通信装置と前記第２通信装置との間の前記チャネルの且つ第２送信品質目標に基づき前記第２通信装置により測定された品質であり、
前記処理ユニットは、前記第２チャネル品質情報に基づき、前記第１チャネル品質情報を取得するよう更に構成される。
【００４９】
可能な実装では、前記第１通信装置は、受信ユニットを更に含み、
前記処理ユニットは、前記受信ユニットを用いて、前記第２通信装置により送信された前記第１伝送品質目標を受信するよう更に構成される。
【００５０】
可能な実装では、前記処理ユニットは、前記第２通信装置により送信されたサウンディング信号のチャネル品質を測定し、前記第１チャネル品質情報を生成するよう更に構成される。
【００５１】
可能な実装では、前記第１通信装置は、受信ユニットを更に含み、
前記処理ユニットは、前記受信ユニットを用いて、前記第２通信装置により送信された前記第１伝送品質目標を受信するよう更に構成される。
【００５２】
可能な実装では、処理ユニットは、プリセットマッピング関係又はプリセットマッピングリストに従い、並びに前記第１伝送品質目標及び前記第１チャネル品質情報に基づき、前記伝送されるべきデータの前記ＭＣＳを決定するよう更に構成される。
【００５３】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００５４】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００５５】
第６の態様によると、本発明は、第２通信装置であって、前記第２通信装置は処理ユニットと受信ユニットとを含み、
前記受信ユニットは、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記受信ユニットは、前記第１通信装置により送信された前記伝送されるべきデータを受信するよう更に構成され、前記処理ユニットは、前記伝送されるべきデータの前記ＭＣＳに基づき、前記伝送されるべきデータを復調及び復号するよう構成される、第２通信装置を提供する。
【００５６】
可能な実装では、前記処理ユニットは、前記第１伝送品質目標を取得し、前記第１伝送品質目標に基づき前記第１チャネル品質情報を生成するよう更に構成され、
前記送信ユニットは、前記第１通信装置へ前記第１チャネル品質情報を送信するよう更に構成される。
【００５７】
さらに、処理ユニットは、前記伝送されるべきデータの遅延要件及び信頼性要件に基づき、複数の伝送品質目標から前記第１伝送品質目標を決定するよう更に構成される。さらに、前記送信ユニットは、前記第１通信装置へ前記第１伝送品質目標を送信するよう更に構成される。
【００５８】
代替として、処理ユニットは、前記受信ユニットを用いて、前記第１通信装置により送信された前記第１伝送品質目標を受信するよう更に構成される。
【００５９】
可能な実装では、前記処理ユニットは、前記伝送されるべきデータの遅延要件及び信頼性要件に基づき、複数の伝送品質目標から前記第１伝送品質目標を決定するよう更に構成され、
前記送信ユニットは、前記第１通信装置へ前記第１伝送品質目標を送信するよう更に構成される。
【００６０】
可能な実装では、前記第２通信装置は、処理ユニットであって、第２伝送品質目標に基づきチャネルを測定し、第２チャネル品質情報を生成するよう構成される、処理ユニットを更に含み、
前記送信ユニットは、前記第１通信装置へ前記第２チャネル品質情報を送信するよう更に構成される。
【００６１】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００６２】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００６３】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００６４】
第７の態様によると、本発明は、第１通信装置であって、処理ユニットと送信ユニットと受信ユニットとを含み、
前記処理ユニットは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記処理ユニットは、前記第１伝送品質目標及び前記第１チャネル品質情報に基づき、伝送されるべきデータの変調及び符号化方式ＭＣＳを決定するよう更に構成され、
前記送信ユニットは、前記第２通信装置へ、前記伝送されるべきデータの前記ＭＣＳを送信するよう構成され、
前記受信ユニットは、前記伝送されるべきデータの前記ＭＣＳに基づき前記第２通信装置により符号化及び変調された前記伝送されるべきデータを受信するよう構成される、第１通信装置を提供する。
【００６５】
可能な実装では、前記処理ユニットは、前記伝送されるべきデータの遅延要件及び信頼性要件に基づき、複数の伝送品質目標から前記第１伝送品質目標を決定するよう更に構成される。さらに、前記第１通信装置は、受信ユニットを更に含み、前記送信ユニットは、前記第２通信装置へ、前記第１伝送品質目標を送信するよう更に構成され、前記処理ユニットは、前記受信ユニットを用いて、前記第２通信装置により送信された前記第１チャネル品質情報を受信するよう更に構成される。
【００６６】
可能な実装では、前記第１通信装置は、前記第２通信装置により送信された第２チャネル品質情報を受信するよう構成される受信ユニットを更に含み、前記第２チャネル品質情報は、前記第１通信装置と前記第２通信装置との間の前記チャネルの且つ第２送信品質目標に基づき前記第２通信装置により測定された品質であり、
前記処理ユニットは、前記第２チャネル品質情報に基づき、前記第１チャネル品質情報を取得するよう更に構成される。
【００６７】
可能な実装では、前記第１通信装置は、受信ユニットを更に含み、
前記処理ユニットは、前記受信ユニットを用いて、前記第２通信装置により送信された前記第１伝送品質目標を受信するよう更に構成される。
【００６８】
可能な実装では、前記処理ユニットは、前記第２通信装置により送信されたサウンディング信号のチャネル品質を測定し、前記第１チャネル品質情報を生成するよう更に構成される。
【００６９】
可能な実装では、前記第１通信装置は、受信ユニットを更に含み、
前記処理ユニットは、前記受信ユニットを用いて、前記第２通信装置により送信された前記第１伝送品質目標を受信するよう更に構成される。
【００７０】
可能な実装では、処理ユニットは、プリセットマッピング関係又はプリセットマッピングリストに従い、並びに前記第１伝送品質目標及び前記第１チャネル品質情報に基づき、前記伝送されるべきデータの前記ＭＣＳを決定するよう更に構成される。
【００７１】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００７２】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００７３】
第８の態様によると、本発明は、第２通信装置であって、処理ユニットと送信ユニットと受信ユニットとを含み、
前記受信ユニットは、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記処理ユニットは、前記伝送されるべきデータの前記ＭＣＳに基づき、前記伝送されるべきデータを符号化及び変調するよう構成され、
前記送信ユニットは、前記第１通信装置へ、前記符号化及び変調された伝送されるべきデータを送信するよう更に構成される、第２通信装置を提供する。
【００７４】
可能な実装では、前記処理ユニットは、前記第１伝送品質目標を取得し、前記第１伝送品質目標に基づき前記第１チャネル品質情報を生成するよう更に構成され、
前記送信ユニットは、前記第１通信装置へ前記第１チャネル品質情報を送信するよう更に構成される。
【００７５】
さらに、処理ユニットは、前記伝送されるべきデータの遅延要件及び信頼性要件に基づき、複数の伝送品質目標から前記第１伝送品質目標を決定するよう更に構成される。さらに、前記送信ユニットは、前記第１通信装置へ前記第１伝送品質目標を送信するよう更に構成される。
【００７６】
代替として、処理ユニットは、前記受信ユニットを用いて、前記第１通信装置により送信された前記第１伝送品質目標を受信するよう更に構成される。
【００７７】
可能な実装では、前記処理ユニットは、前記伝送されるべきデータの遅延要件及び信頼性要件に基づき、複数の伝送品質目標から前記第１伝送品質目標を決定するよう更に構成され、
前記送信ユニットは、前記第１通信装置へ前記第１伝送品質目標を送信するよう更に構成される。
【００７８】
可能な実装では、前記第２通信装置は、処理ユニットであって、第２伝送品質目標に基づきチャネルを測定し、第２チャネル品質情報を生成するよう更に構成される、処理ユニットを更に含み、
前記送信ユニットは、前記第１通信装置へ前記第２チャネル品質情報を送信するよう更に構成される。
【００７９】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００８０】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００８１】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００８２】
第９の態様によると、本発明は、第１通信装置であって、プロセッサとメモリと送信機と受信機とを含み、前記プロセッサ、前記メモリ、前記送信機、及び前記受信機は互いに接続され、
前記プロセッサは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記プロセッサは、前記第１伝送品質目標及び前記第１チャネル品質情報に基づき、伝送されるべきデータの変調及び符号化方式ＭＣＳを決定し、前記伝送されるべきデータの前記ＭＣＳに基づき、前記伝送されるべきデータを符号化及び変調するよう更に構成され、
前記プロセッサは、前記送信機を用いて、前記第２通信装置へ、前記伝送されるべきデータの前記ＭＣＳ及び前記符号化及び変調された伝送されるべきデータを送信するよう更に構成される、第１通信装置を提供する。
【００８３】
可能な実装では、前記プロセッサは、前記伝送されるべきデータの遅延要件及び信頼性要件に基づき、複数の伝送品質目標から前記第１伝送品質目標を決定するよう更に構成される。
【００８４】
さらに、前記プロセッサは、前記送信機を用いて、前記第２通信装置へ、前記第１伝送品質目標を送信するよう更に構成され、前記プロセッサは、前記受信機を用いて、前記第２通信装置により送信された前記第１チャネル品質情報を受信するよう更に構成される。
【００８５】
可能な実装では、前記プロセッサは、前記受信機を用いて、前記第２通信装置により送信された第２チャネル品質情報を受信するよう更に構成され、前記第２チャネル品質情報は、前記第１通信装置と前記第２通信装置との間の前記チャネルの且つ第２送信品質目標に基づき前記第２通信装置により測定された品質であり、
前記プロセッサは、前記第２チャネル品質情報に基づき、前記第１チャネル品質情報を取得するよう更に構成される。
【００８６】
可能な実装では、前記プロセッサは、前記受信機を用いて、前記第２通信装置により送信された前記第１伝送品質目標を受信するよう更に構成される。
【００８７】
可能な実装では、前記プロセッサは、前記第２通信装置により送信されたサウンディング信号のチャネル品質を測定し、前記第１チャネル品質情報を生成するよう更に構成される。
【００８８】
可能な実装では、前記プロセッサは、前記受信機を用いて、前記第２通信装置により送信された前記第１伝送品質目標を受信するよう更に構成される。
【００８９】
可能な実装では、前記プロセッサは、プリセットマッピング関係又はプリセットマッピングリストに従い、並びに前記第１伝送品質目標及び前記第１チャネル品質情報に基づき、前記伝送されるべきデータの前記ＭＣＳを決定するよう更に構成される。
【００９０】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００９１】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００９２】
第１０の態様によると、本発明は、第２通信装置であって、プロセッサとメモリと送信機と受信機とを含み、前記プロセッサ、前記メモリ、前記送信機、及び前記受信機は互いに接続され、
前記プロセッサは、前記受信機を用いて、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記プロセッサは、前記受信機を用いて、前記第１通信装置により送信された前記伝送されるべきデータを受信し、前記伝送されるべきデータの前記ＭＣＳに基づき、前記伝送されるべきデータを復調及び復号するよう更に構成される、第２通信装置を提供する。
【００９３】
可能な実装では、前記プロセッサは、前記第１伝送品質目標を取得し、前記第１伝送品質目標に基づき前記第１チャネル品質情報を生成するよう更に構成され、
前記プロセッサは、前記送信機を用いて、前記第１通信装置へ前記第１チャネル品質情報を送信するよう更に構成される。
【００９４】
さらに、可能な実装では、前記プロセッサは、前記伝送されるべきデータの遅延要件及び信頼性要件に基づき、複数の伝送品質目標から前記第１伝送品質目標を決定するよう更に構成される。さらに、前記プロセッサは、前記送信機を用いて、前記第１通信装置へ、前記第１伝送品質目標を送信するよう更に構成される。
【００９５】
代替として、前記プロセッサは、前記受信機を用いて、前記第１通信装置により送信された前記第１伝送品質目標を受信するよう更に構成される。
【００９６】
可能な実装では、前記プロセッサは、前記伝送されるべきデータの遅延要件及び信頼性要件に基づき、複数の伝送品質目標から前記第１伝送品質目標を決定し、前記送信機を用いて、前記第１通信装置へ、前記第１伝送品質目標を送信するよう更に構成される。
【００９７】
可能な実装では、前記プロセッサは、第２伝送品質目標に基づきチャネルを測定し、第２チャネル品質情報を生成するよう更に構成され、
前記プロセッサは、前記送信機を用いて、前記第１通信装置へ前記第２チャネル品質情報を送信するよう更に構成される。
【００９８】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００９９】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０１００】
可能な実装では、前記第１チャネル品質情報は、チャネル品質指示子ＣＱＩ、プリコーディング行列指示子ＰＭＩ、及びランク指示ＲＩ、のうちの少なくとも１つを含む。
【０１０１】
第１１の態様によると、本発明は、第１通信装置であって、プロセッサとメモリと送信機と受信機とを含み、前記プロセッサ、前記メモリ、前記送信機、及び前記受信機は互いに接続され、
前記プロセッサは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記プロセッサは、前記第１伝送品質目標及び前記第１チャネル品質情報に基づき、伝送されるべきデータの変調及び符号化方式ＭＣＳを決定するよう更に構成され、
前記プロセッサは、前記送信機を用いて、前記第２通信装置へ、前記伝送されるべきデータの前記ＭＣＳを送信するよう更に構成され、
前記プロセッサは、前記受信機を用いて、前記伝送されるべきデータの前記ＭＣＳに基づき前記第２通信装置により符号化及び変調された前記伝送されるべきデータを受信するよう更に構成される、第１通信装置を提供する。
【０１０２】
可能な実装では、前記プロセッサは、前記伝送されるべきデータの遅延要件及び信頼性要件に基づき、複数の伝送品質目標から前記第１伝送品質目標を決定するよう更に構成される。
【０１０３】
さらに、前記プロセッサは、前記送信機を用いて、前記第２通信装置へ、前記第１伝送品質目標を送信するよう更に構成され、前記プロセッサは、前記受信機を用いて、前記第２通信装置により送信された前記第１チャネル品質情報を受信するよう更に構成される。
【０１０４】
可能な実装では、前記プロセッサは、前記受信機を用いて、前記第２通信装置により送信された第２チャネル品質情報を受信するよう更に構成され、前記第２チャネル品質情報は、前記第１通信装置と前記第２通信装置との間の前記チャネルの且つ第２送信品質目標に基づき前記第２通信装置により測定された品質であり、
前記プロセッサは、前記第２チャネル品質情報に基づき、前記第１チャネル品質情報を取得するよう更に構成される。
【０１０５】
可能な実装では、前記プロセッサは、前記受信機を用いて、前記第２通信装置により送信された前記第１伝送品質目標を受信するよう更に構成される。
【０１０６】
可能な実装では、前記プロセッサは、前記第２通信装置により送信されたサウンディング信号のチャネル品質を測定し、前記第１チャネル品質情報を生成するよう更に構成される。
【０１０７】
可能な実装では、前記プロセッサは、前記受信機を用いて、前記第２通信装置により送信された前記第１伝送品質目標を受信するよう更に構成される。
【０１０８】
可能な実装では、前記プロセッサは、プリセットマッピング関係又はプリセットマッピングリストに従い、並びに前記第１伝送品質目標及び前記第１チャネル品質情報に基づき、前記伝送されるべきデータの前記ＭＣＳを決定するよう更に構成される。
【０１０９】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０１１０】
可能な実装では、前記第１チャネル品質情報は、チャネル品質指示子ＣＱＩ、プリコーディング行列指示子ＰＭＩ、及びランク指示ＲＩ、のうちの少なくとも１つを含む。
【０１１１】
第１２の態様によると、本発明は、第２通信装置であって、プロセッサとメモリと送信機と受信機とを含み、前記プロセッサ、前記メモリ、前記送信機、及び前記受信機は互いに接続され、
前記プロセッサは、前記受信機を用いて、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記プロセッサは、前記伝送されるべきデータの前記ＭＣＳに基づき前記伝送されるべきデータを符号化及び変調し、前記送信機用いて、前記第１通信装置へ、前記符号化及び変調した伝送されるべきデータを送信するよう更に構成される、第２通信装置を提供する。
【０１１２】
可能な実装では、前記プロセッサは、前記第１伝送品質目標を取得し、前記第１伝送品質目標に基づき前記第１チャネル品質情報を生成するよう更に構成され、
前記プロセッサは、前記送信機を用いて、前記第１通信装置へ前記第１チャネル品質情報を送信するよう更に構成される。
【０１１３】
さらに、可能な実装では、前記プロセッサは、前記伝送されるべきデータの遅延要件及び信頼性要件に基づき、複数の伝送品質目標から前記第１伝送品質目標を決定するよう更に構成される。さらに、前記プロセッサは、前記送信機を用いて、前記第１通信装置へ、前記第１伝送品質目標を送信するよう更に構成される。
【０１１４】
代替として、前記プロセッサは、前記受信機を用いて、前記第１通信装置により送信された前記第１伝送品質目標を受信するよう更に構成される。
【０１１５】
可能な実装では、前記プロセッサは、前記伝送されるべきデータの遅延要件及び信頼性要件に基づき、複数の伝送品質目標から前記第１伝送品質目標を決定し、前記送信機を用いて、前記第１通信装置へ、前記第１伝送品質目標を送信するよう更に構成される。
【０１１６】
可能な実装では、前記プロセッサは、第２伝送品質目標に基づきチャネルを測定し、第２チャネル品質情報を生成するよう更に構成され、
前記プロセッサは、前記送信機を用いて、前記第１通信装置へ前記第２チャネル品質情報を送信するよう更に構成される。
【０１１７】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【０１１８】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０１１９】
可能な実装では、前記第１チャネル品質情報は、チャネル品質指示子ＣＱＩ、プリコーディング行列指示子ＰＭＩ、及びランク指示ＲＩ、のうちの少なくとも１つを含む。
【０１２０】
第１３の態様によると、本発明は、無線通信システムであって、第１通信装置及び第２通信装置を含み、前記第１通信装置は第５の態様又は第５の態様の任意の可能な実装で記載された第１通信装置であり、前記第２通信装置は第６の態様又は第６の態様の任意の可能な実装で記載された第１通信装置である、無線通信システムを提供する。
【０１２１】
第１４の態様によると、本発明は、無線通信システムであって、第１通信装置及び第２通信装置を含み、前記第１通信装置は第４の態様又は第７の態様の任意の可能な実装で記載された第１通信装置であり、前記第２通信装置は第８の態様又は第８の態様の任意の可能な実装で記載された第１通信装置である、無線通信システムを提供する。
【０１２２】
第１５の態様によると、本発明は、無線通信システムであって、第１通信装置及び第２通信装置を含み、前記第１通信装置は第９の態様又は第９の態様の任意の可能な実装で記載された第１通信装置であり、前記第２通信装置は第１０の態様又は第１０の態様の任意の可能な実装で記載された第１通信装置である、無線通信システムを提供する。
【０１２３】
第１６の態様によると、本発明は、無線通信システムであって、第１通信装置及び第２通信装置を含み、前記第１通信装置は第１１の態様又は第１１の態様の任意の可能な実装で記載された第１通信装置であり、前記第２通信装置は第１２の態様又は第１２の態様の任意の可能な実装で記載された第１通信装置である、無線通信システムを提供する。
【０１２４】
本発明の本実施形態で提供されるデータ伝送方法、装置、及びシステムによると、第１通信装置は、第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調して、符号化及び変調した伝送されるべきデータを第２通信装置へ送信し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０１２５】
上述の全体的説明及び以下の詳細な説明は、単なる説明及び例示のためであり、本発明を限定することを意図しないことが理解されるべきである。
【図面の簡単な説明】
【０１２６】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【０１２７】
【図１ａ】本発明の一実施形態によるデータ伝送方法の概略フローチャートである。
【０１２８】
【図１ｂ】本発明の一実施形態による別のデータ伝送方法の概略フローチャートである。
【０１２９】
【図２ａ】本発明の別の実施形態によるデータ伝送方法の概略フローチャートである。
【０１３０】
【図２ｂ】本発明の別の実施形態による別のデータ伝送方法の概略フローチャートである。
【０１３１】
【図３ａ】本発明の一実施形態による第１適用シナリオにおけるダウンリンクデータ伝送方法の概略フローチャートである。
【０１３２】
【図３ｂ】本発明の一実施形態による第１適用シナリオにおけるアップリンクデータ伝送方法の概略フローチャートである。
【０１３３】
【図４ａ】本発明の一実施形態による第２適用シナリオにおけるダウンリンクデータ伝送方法の概略フローチャートである。
【０１３４】
【図４ｂ】本発明の一実施形態による第２適用シナリオにおけるアップリンクデータ伝送方法の概略フローチャートである。
【０１３５】
【図５ａ】本発明の一実施形態による第３適用シナリオにおけるダウンリンクデータ伝送方法の概略フローチャートである。
【０１３６】
【図５ｂ】本発明の一実施形態による第３適用シナリオにおけるアップリンクデータ伝送方法の概略フローチャートである。
【０１３７】
【図６ａ】本発明の一実施形態による第４適用シナリオにおけるダウンリンクデータ伝送方法の概略フローチャートである。
【０１３８】
【図６ｂ】本発明の一実施形態による第４適用シナリオにおけるアップリンクデータ伝送方法の概略フローチャートである。
【０１３９】
【図７】本発明の一実施形態による第１通信装置の概略構造図である。
【０１４０】
【図８】本発明の一実施形態による第２通信装置の概略構造図である。
【０１４１】
【図９】本発明の別の実施形態による第１通信装置の概略構造図である。
【０１４２】
【図１０】本発明の別の実施形態による第２通信装置の概略構造図である。
【０１４３】
【図１１】本発明の一実施形態による無線通信システムの概略構造図である。
【０１４４】
前述の添付の図面は、本発明の特定の実施形態を示し、更に詳細な説明が以下に提供される。添付の図面及び文字の説明は、いかなる方法でも本発明の実施形態の概念の範囲を限定することを意図せず、本発明の概念を特定の実施形態を参照して当業者に説明することを意図する。
【発明を実施するための形態】
【０１４５】
本発明の目的、技術的ソリューション、及び利点をより明らかにするために、以下は、本発明の実施形態を、添付の図面を参照して更に詳述する。
【０１４６】
本発明の一実施形態は、データ伝送方法を提供する。図１Ａを参照すると、方法は以下のステップを含む。
【０１４７】
１０１。第１通信装置は、第１伝送品質目標を取得する。
【０１４８】
第１伝送品質目標は、伝送されるべきデータの伝送品質目標を示すために使用される。ここで、第１通信装置は、基地局（英語：Base  Station、略してＢＳ）、無線アクセスポイント（英語：Access  Point、略してＡＰ）、端末装置、等であって良く、第２通信装置は、端末装置、移動局（英語：Mobile  Station、略してＭＳ）、基地局、等であって良い。ロングタームエボリューション（英語：Long  Term  Evolution、略してＬＴＥ）システムでは、基地局は進化型ＮｏｄｅＢ（英語：Evolved  Node  Base  Station、略してｅＮＢ）であって良く、端末装置はユーザ機器（英語：User  Equipment、略してＵＥ）であって良い。
【０１４９】
任意で、ステップ１０１又はステップ１０２の前に、第１通信装置は第１伝送品質目標を取得して良い。具体的に、第１通信装置は、以下の２つの方法で、第１伝送品質目標を取得して良い。
【０１５０】
方法１。第１通信装置は、伝送されるべきデータの遅延要件及び信頼性要件に基づき、複数の伝送品質目標から第１伝送品質目標を決定する。伝送されるべきデータの遅延要件が低いほど、高い第１伝送品質目標を示す。伝送されるべきデータの信頼性要件が高いほど、高い第１伝送品質目標を示す。例えば、一般的サービスの伝送品質目標はＢＬＥＲ＜０．１であり、低遅延且つ高信頼性サービスの伝送品質目標はＢＬＥＲ＜０．００００１である。方法１では、第１通信装置は、第２通信装置へ第１伝送品質目標を更に送信して良い。
【０１５１】
任意で、第１伝送品質目標を決定する方法は次の通りである。伝送されるべきデータの遅延が無線インタフェース伝送遅延と固定値との和以下である場合、第１伝送品質目標は、伝送されるべきデータにより要求されるブロック誤り率に設定される。無線インタフェース伝送遅延が０．５ｍｓであり、固定値が０．５ｍｓに設定され、伝送されるべきデータの遅延が１ｍｓであり、及び伝送されるべきデータパケットのブロック誤り率が０．００００１であると仮定すると、伝送されるべきデータパケットの第１伝送品質目標は、伝送されるべきデータパケットのブロック誤り率ＢＬＥＲが０．００００１以下であることである。伝送されるべきデータの遅延が１０ｍｓであり、及び伝送されるべきデータパケットのブロック誤り率が０．００００１である場合、伝送されるべきデータパケットの第１伝送品質目標は、ＢＬＥＲ＜０．１であり、伝送されるべきデータパケットのブロック誤り率を更に低減するために再送が実行されて良い。
【０１５２】
代替として、第１伝送品質目標を決定する方法は次の通りである。システムは、少なくとも２つの伝送品質目標を含む。１つの伝送品質目標はＢＬＥＲ＜０．１であり、別の伝送品質目標はＢＬＥＲ＜０．００００１である。伝送されるべきデータが一般的サービスである場合、伝送品質目標はＢＬＥＲ＜０．１である。伝送されるべきデータが超低遅延且つ高信頼性サービスである場合、伝送品質目標はＢＬＥＲ＜０．００００１である。伝送品質目標は、ここでは、１つの無線インタフェース伝送の伝送成功の品質目標である。別の可能な第１伝送品質目標は次の通りである。システムは、少なくとも３つの伝送品質目標を含む。１つの伝送品質目標はＢＬＥＲ＜０．１であり、１つの伝送品質目標はＢＬＥＲ＜０．００００１であり、もう１つの伝送品質目標はＢＬＥＲ＜０．００００００１である。伝送されるべきサービスのエンドツーエンド伝送遅延が５ｍｓより大きい場合、伝送品質目標はＢＬＥＲ＜０．１である。伝送されるべきサービスのエンドツーエンド伝送遅延が１ｍｓより小さい場合、伝送品質目標はＢＬＥＲ＜０．００００００１である。伝送されるべきサービスのエンドツーエンド伝送遅延が１ｍｓと５ｍｓの間である場合、伝送品質目標はＢＬＥＲ＜０．００００１である。
【０１５３】
好適な適用シナリオでは、第１通信装置は、第２通信装置へ第１伝送品質目標を送信し、第２通信装置により送信された第１チャネル品質情報を受信して良い。このように、第２通信装置は第１伝送品質目標を受信し、第２通信装置は、第１伝送品質目標に基づきチャネルを測定して、第１チャネル品質情報を直接取得し、そして第１チャネル品質情報を第１通信装置へ送信して良い。
【０１５４】
方法２。第１通信装置は、第２通信装置により送信された第１伝送品質目標を受信する。第２通信装置は、伝送されるべきデータの遅延要件及び信頼性要件に基づき、複数の伝送品質目標から第１伝送品質目標を決定して良い。例えば、伝送されるべきデータの遅延要件が低いほど、高い第１伝送品質目標を示し、伝送されるべきデータの信頼性要件が高いほど、高い第１伝送品質目標を示す。例えば、一般的サービスの伝送品質目標はＢＬＥＲ＜０．１であり、低遅延且つ高信頼性サービスの伝送品質目標はＢＬＥＲ＜０．００００１である。第２通信装置は、方法１における第１通信装置による第１伝送品質目標を決定する方法に従い、第１伝送品質目標を決定して良い。詳細事項は、ここで繰り返されない。代替として、第２通信装置は、第１伝送品質目標を決定する必要がない（ステップ１０２で、第２通信装置が第１適用シナリオで第２伝送品質目標に基づきチャネルを測定するソリューションに対応する）。第２伝送品質目標は、第１通信装置及び第２通信装置により予め格納された伝送品質目標である。第２伝送品質目標は、第１通信装置及び第２通信装置により合意された伝送品質目標であって良い。例えば、ＢＬＥＲ＜０．１が第２伝送品質目標として使用される。
【０１５５】
留意すべきことに、第１伝送品質目標を取得する前述の２つの方法では、データ伝送の伝送品質目標は、物理レイヤ制御シグナリング又は伝送のための上位レイヤシグナリングの中で伝達されて良い。上位レイヤシグナリングは、媒体アクセス制御（英語：Media  Access  Control、略してＭＡＣ）シグナリング、無線リソース制御（英語：Radio  Resource  Control、略してＲＲＣ）シグナリング、等であって良い。
【０１５６】
さらに、第１伝送品質目標について有効時間が設定されて良い。例えば、物理レイヤシグナリングは、一時的な伝送品質目標の有効時間を示すために使用されて良く、或いは、上位レイヤシグナリングは、複数の一時的な伝送品質目標の有効時間を示すために使用されて良い。
【０１５７】
物理レイヤシグナリング及び上位レイヤシグナリングの両方が第１伝送品質目標を示すとき、優先度が予め定められて良い。例えば、物理レイヤシグナリング及び上位レイヤシグナリングが同時に受信されると、物理レイヤシグナリングの指示が優先する。代替として、第１伝送品質目標を示す物理レイヤシグナリングが、伝送されるべきデータの伝送品質目標の且つ上位レイヤシグナリングにより示される有効時間の範囲内で受信された場合、物理レイヤシグナリングの指示が優先する。
【０１５８】
１０２。第１通信装置は第１チャネル品質情報を取得する。
【０１５９】
第１チャネル品質情報は、第１通信装置と第２通信装置との間のチャネルの品質を示すために使用され、第１チャネル品質情報は第１伝送品質目標に基づき取得される。任意で、第１伝送品質目標は、目標ブロック誤り率（英語：Block  Error  Rate、略してＢＬＥＲ）及び目標信号対雑音比（英語：Signal  Noise  Ratio、略してＳＮＲ）のうちの少なくとも１つを含んで良い。第１チャネル品質情報は、チャネル品質指示子（英語：Channel  Quality  Indicator、略してＣＱＩ）、プリコーディング行列指示子（英語：Precoding  Matrix  Indicator、略してＰＭＩ）、及びランク指示（英語：Rank  Indication、略してＲＩ）のうちの少なくとも１つを含んで良い。
【０１６０】
任意で、第１チャネル品質情報をどのように取得するかを説明するために、３つの特定の適用シナリオが、ここで列挙される。
【０１６１】
第１シナリオでは、第１通信装置は、第２通信装置により送信された第１チャネル品質情報を受信する。
【０１６２】
このように、第２通信装置は第１伝送品質目標を受信し、第１伝送品質目標に基づきチャネルを測定し、第１チャネル品質情報を生成し、第１チャネル品質情報を第１通信装置へ送信する。
【０１６３】
前記第２適用シナリオでは、第１通信装置は、第２通信装置により送信された第２チャネル品質情報を受信し、第２チャネル品質情報に基づき第１チャネル品質情報を取得する。第２チャネル品質情報は、第１通信装置と第２通信装置との間のチャネルの且つ第２通信装置により第２伝送品質目標に基づき測定された品質である。第２伝送品質目標が第１伝送品質目標と同じであると決定すると、第１通信装置は、第２チャネル品質情報を第１チャネル品質情報として使用する。第２伝送品質目標が第１伝送品質目標と異なると決定すると、第１通信装置は、第２チャネル品質情報に基づき第１チャネル品質情報を取得する。
【０１６４】
ここで、表１は第１適用シナリオを説明するための一例として使用される。表１を参照すると、表１は、２つの伝送品質目標：ＢＬＥＲ＜０．１及びＢＬＥＲ＜０．００００１を示す。第１チャネル品質情報は、表１中でＣＱＩインデックス（英語：Index）により表されるＣＱＩを含む。例えば、ＢＬＥＲ＜０．００００１は第１伝送品質目標であり、ＢＬＥＲ＜０．１は第２伝送品質目標である。例えば、第２通信装置により送信され且つ第１通信装置により受信された第２チャネル品質情報は、ＣＱＩが６であることを示す。しかしながら、第２伝送品質目標は、第１伝送品質目標と異なる。第２チャネル品質情報は、第２伝送品質目標（ＢＬＥＲ＜０．１）に基づき、第２通信装置によるチャネル測定を通じて取得される。したがって、第２伝送品質目標（ＢＬＥＲ＜０．１）に対応する列において、ＣＱＩが６のとき、対応するＳＮＲは３であることが分かる。次に、第１伝送品質目標（ＢＬＥＲ＜０．００００１）に対応する列において、３以下であり且つ３に最も近いＳＮＲは２．０５であることが分かる。最後に、ＣＱＩ  Ｉｎｄｅｘに対応する列において、ＳＮＲ（ＢＬＥＲ＜０．００００１）が２．０５のとき、対応するＣＱＩは３であることが分かる。これに基づき、第１チャネル品質情報はＣＱＩ＝３であると決定できる。
【表１】
2019522393.tif 000003
【０１６５】
第３適用シナリオでは、第１通信装置は、第２通信装置により送信されたサウンディング信号のチャネル品質を測定し、第１チャネル品質情報を生成する。
【０１６６】
ステップ１０１とステップ１０２との間に必要な順序は存在しない。
【０１６７】
１０３ａ。第１通信装置は、第１伝送品質目標及び第１チャネル品質情報に基づき、伝送されるべきデータの変調及び符号化方式（英語：Modulation  and  Coding  Scheme、略してＭＣＳ）を決定し、伝送されるべきデータのＭＣＳに基づき、伝送されるべきデータを符号化及び変調する。
【０１６８】
第１通信装置は、プリセットマッピング関係又はプリセットマッピングリストに従い、並びに第１伝送品質目標及び第１チャネル品質情報に基づき、伝送されるべきデータのＭＣＳを決定して良い。表１を参照すると、表１は、第１伝送品質目標と第１チャネル品質情報との間のマッピング関係を含む。表２に示すように、表２は、第１チャネル品質情報と伝送されるべきデータのＭＣＳとの間の特定のマッピング関係を示す。ＭＣＳは、直交位相偏移変調（英語：Quadrature  Phase  Shift  Keying、略してＱＰＳＫ）、１６直交振幅変調（英語：Quadrature  Amplitude  Modulation、略してＱＡＭ）、又は６４ＱＡＭを含んで良い。
【表２】
2019522393.tif 000004
【０１６９】
留意すべきことに、本発明では複数の伝送品質目標が存在し、異なるマッピングリストが異なる伝送品質目標に対して使用されて良い。例えば、２つの伝送品質目標ＢＬＥＲ＜０．１及びＢＬＥＲ＜０．００００１について、第１伝送品質目標がＢＬＥＲ＜０．１のとき、表２が使用されて良く、第１伝送品質目標がＢＬＥＲ＜０．００００１のとき、表３が使用されて良い。表３のＭＣＳは、二位相偏移変調（英語：Binary  Phase  Shift  Keying、略してＢＰＳＫ）、ＱＰＳＫ、１６ＱＡＭ、６４ＱＡＭ、又は２５６ＱＡＭを含んで良い。
【表３】
2019522393.tif 000005
【０１７０】
１０４ａ。第１通信装置は、伝送されるべきデータのＭＣＳ及び符号化及び変調された伝送されるべきデータを第２通信装置へ送信する。
【０１７１】
図１Ａのステップ１０１〜ステップ１０４ａは、第１通信装置から第２通信装置へのデータ伝送の概略フローチャートである。図１Ｂを参照すると、図１Ｂは、第２通信装置から第１通信装置へのデータ伝送の概略フローチャートである。図１Ｂに示す別のデータ伝送方法は以下のステップを含む。
【０１７２】
１０１。第１通信装置は、第１伝送品質目標を取得する。
【０１７３】
１０２。第１通信装置は第１チャネル品質情報を取得する。
【０１７４】
第１チャネル品質情報は、第１通信装置と第２通信装置との間のチャネルの品質を示すために使用され、第１チャネル品質情報は第１伝送品質目標に基づき取得される。
【０１７５】
１０３ｂ。第１通信装置は、第１伝送品質目標及び第１チャネル品質情報に基づき、伝送されるべきデータの変調及び符号化方式ＭＣＳを決定する。
【０１７６】
１０４ｂ。第１通信装置は、伝送されるべきデータのＭＣＳを第２通信装置へ送信する。
【０１７７】
１０５ｂ。第１通信装置は、伝送されるべきデータのＭＣＳに基づき第２通信装置により符号化及び変調された伝送されるべきデータを受信する。
【０１７８】
望ましくは、第１通信装置は基地局であって良く、第２通信装置はＵＥであって良い。この場合、ステップ１０１〜ステップ１０４ａはダウンリンクデータ伝送シナリオで実行され、ステップ１０１〜ステップ１０５ｂはアップリンクデータ伝送シナリオで実行される。
【０１７９】
従来、適応符号化及び変調技術は、通常、伝送品質を満たしながらスペクトル利用を向上するために使用される。適応符号化及び変調では、通信受信端は、チャネル品質を測定し、チャネル品質を送信端にフィードバックし、送信端は、プリセット伝送品質目標（例えば、パケット誤り率が１０％である）に基づき、プリセット伝送品質目標に最も適切な変調及び符号化方式を選択し、送信されるべき信号を符号化及び変調し、該信号を受信端へ送信する。代替として、通信受信端は、チャネル品質を測定し、送信端と等位下伝送品質目標に基づき変調及び符号化方式を提案し、変調及び符号化方式を送信端にフィードバックする。送信端は、提案された変調及び符号化方式に基づき送信を実行する。一般的に、伝送品質目標は合意されている。例えば、１つの無線インタフェース伝送の伝送品質目標は、パケット誤り率が０．１未満であることである。比較的高い信頼性要件を有するサービスでは、ブロック誤り率を更に低減するために再送が実行されて良い。例えば、３ＧＰＰ  ＬＴＥシステムでは、最大８回の再送が実行され得る。しかしながら、複数の再送は、伝送遅延の増大を引き起こす場合があり、結果として、極めて低い遅延及び比較的高い信頼性の両方を要求するサービスの要件を満たすことができない。しかしながら、パケット誤り率についての要件が引き上げられる、例えば、パケット誤り率がＢＬＥＲ＜０．００００１に高められる場合、相応して、比較的低いビットレート及びより低次の変調及び符号化方式が必要とされる。これは、システム伝送効率を低下させる。したがって、従来における１つの無線インタフェース伝送の１つの成功率目標のみを設定することは、低遅延且つ高信頼性要件及びシステム効率要件を同時に満たすことができない。
【０１８０】
本発明では、伝送されるべきデータに適する伝送品質目標が柔軟に決定でき、次に第１チャネル品質情報が伝送品質目標に基づき取得され、伝送されるべきデータの伝送品質目標を満たすＭＣＳが決定され、それによりデータ伝送のサービス要件を満たす。例えば、低遅延且つ高信頼性を要求するデータ伝送では、低次変調方式及び比較的低いビットレートに対応して、比較的高い伝送品質目標が選択されて良く、一方で、高遅延要件を有しないデータ伝送では、高次変調方式及び比較的高いビットレートに対応して、比較的低い伝送品質目標が選択されて良い。この場合、遅延及び信頼性についての異なるサービスの要件は満たされ、一方でシステム効率が保証される。
【０１８１】
本発明の本実施形態で提供されるデータ伝送方法によると、第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０１８２】
図１Ａに対応する実施形態を参照して、本発明の別の実施形態はデータ伝送方法を提供する。本方法は、第２通信装置側の方法であり、図１Ａに対応する実施形態で説明されたデータ伝送方法に対応する。図２Ａに示すように、方法は以下のステップを含む。
【０１８３】
２０１。第２通信装置は、伝送されるべきデータの且つ第１通信装置により送信された変調及び符号化方式ＭＣＳを受信する。
【０１８４】
伝送されるべきデータのＭＣＳは、第１伝送品質目標及び第１チャネル品質情報に基づき、第１通信装置により決定される。
【０１８５】
任意で、ステップ２０１の前に、方法は以下を更に含み得る：
第２通信装置により、第１伝送品質目標を取得し、第１伝送品質目標に基づき第１チャネル品質情報を生成し、第２通信装置により、第１チャネル品質情報を第１通信装置へ送信するステップ。
【０１８６】
具体的に、可能な実装では、第２通信装置は、伝送されるべきデータの遅延要件及び信頼性要件に基づき、複数の伝送品質目標から第１伝送品質目標を決定して良い。伝送されるべきデータの遅延要件が低いほど、高い第１伝送品質目標を示す。伝送されるべきデータの信頼性要件が高いほど、高い第１伝送品質目標を示す。
【０１８７】
更に任意で、第２通信装置は、第１通信装置へ第１伝送品質目標を送信して良い。
【０１８８】
別の可能な実装では、第２通信装置は、第１通信装置により送信された第１伝送品質目標を受信して良い。
【０１８９】
任意で、ステップ２０１の前に、方法は以下を更に含み得る：
第２通信装置により、第２伝送品質目標に基づきチャネルを測定し、第２チャネル品質情報を生成するステップと、
第２通信装置により、第２チャネル品質情報を第１通信装置へ送信するステップ。
【０１９０】
さらに、任意で、ステップ２０１の前に、第２通信装置は、伝送されるべきデータの遅延要件及び信頼性要件に基づき、複数の伝送品質目標から第１伝送品質目標を決定し第１通信装置へ第１伝送品質目標を送信して良い。したがって、第１通信装置は第１チャネル品質情報を取得する。伝送されるべきデータの遅延要件が低いほど、高い第１伝送品質目標を示す。伝送されるべきデータの信頼性要件が高いほど、高い第１伝送品質目標を示す。
【０１９１】
２０２ａ。第２通信装置は、第１通信装置により送信された伝送されるべきデータを受信し、伝送されるべきデータのＭＣＳに基づき伝送されるべきデータを復調及び復号する。
【０１９２】
図２Ａのステップ２０１〜ステップ２０１ａは、第１通信装置から第２通信装置へのデータ伝送の概略フローチャートである。図２Ｂを参照すると、図２Ｂは、第２通信装置から第１通信装置へのデータ伝送の概略フローチャートである。図２Ｂに示す別のデータ伝送方法は以下のステップを含む。
【０１９３】
２０１。第２通信装置は、伝送されるべきデータの且つ第１通信装置により送信された変調及び符号化方式ＭＣＳを受信する。
【０１９４】
伝送されるべきデータのＭＣＳは、第１伝送品質目標及び第１チャネル品質情報に基づき、第１通信装置により決定される。
【０１９５】
２０２ｂ。第２通信装置は、伝送されるべきデータのＭＣＳに基づき伝送されるべきデータを符号化及び変調し、符号化及び変調された伝送されるべきデータを第１通信装置へ送信する。
【０１９６】
ステップ２０２ａ又は２０２ｂについて、任意で、伝送されるべきデータのＭＣＳが、プリセットマッピング関係又はプリセットマッピングリストに従い、並びに第１伝送品質目標及び第１チャネル品質情報に基づき、第１通信装置により決定されて良い。
【０１９７】
任意で、伝送品質目標は、目標ブロック誤り率ＢＬＥＲ及び目標信号対雑音比ＳＮＲのうちの少なくとも１つを含んで良く、第１チャネル品質情報は、チャネル品質指示子ＣＱＩ、プリコーディング行列指示子ＰＭＩ、及びランク指示ＲＩのうちの少なくとも１つを含んで良い。
【０１９８】
本発明の本実施形態で提供されるデータ伝送方法によると、第２通信装置は、伝送されるべきデータの且つ第１通信装置により送信された変調及び符号化方式ＭＣＳを受信し、第１通信装置により送信された伝送されるべきデータを受信し、伝送されるべきデータのＭＣＳに基づき伝送されるべきデータを復調及び復号し、又は伝送されるべきデータのＭＣＳに基づき伝送されるべきデータを符号化及び変調し、符号化及び変調した伝送されるべきデータを第１通信装置へ送信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０１９９】
図１及び図２に対応する前述の実施形態に基づき、本発明の一実施形態では、図１及び図２に対応する実施形態において記載されたデータ伝送方法を説明するための例として４つの特定の適用シナリオが用いられる。４つの適用シナリオでは、第１通信装置は基地局であって良く、第２通信装置はＵＥであって良い。基地局とＵＥとの間のデータ伝送が説明のための一例として用いられる。詳細は以下の通りである。
【０２００】
第１適用シナリオでは、図３Ａ及び図３Ｂを参照して、図３Ａはダウンリンクデータ伝送処理を示し、図３Ｂはアップリンクデータ伝送処理を示す。具体的に、本発明の本実施形態で提供されるデータ伝送方法は以下のステップを含む。
【０２０１】
３０１。基地局は、複数の伝送品質目標から第１伝送品質目標を決定する。
【０２０２】
３０２。基地局は、第１伝送品質目標をＵＥへ送信する。
【０２０３】
３０３。ＵＥは、基地局により送信された第１伝送品質目標に基づきチャネルを測定し、第１チャネル品質情報を生成する。
【０２０４】
３０４。ＵＥは、第１チャネル品質情報を基地局へ送信する。
【０２０５】
３０５。基地局は、第１チャネル品質情報に基づき伝送されるべきデータのＭＣＳを決定する。
【０２０６】
ダウンリンクデータ伝送の間、方法は以下のステップを更に含む。
【０２０７】
３０６ａ。基地局は、ＵＥへ、伝送されるべきデータのＭＣＳ、及び伝送されるべきデータのＭＣＳに基づき符号化及び変調された伝送されるべきデータを送信する。
【０２０８】
アップリンクデータ伝送の間、方法は以下のステップを更に含む。
【０２０９】
３０６ｂ。基地局は、伝送されるべきデータのＭＣＳをＵＥへ送信する。
【０２１０】
３０７ｂ。伝送されるべきデータの且つ基地局により送信されたＭＣＳに基づき伝送されるべきデータを符号化及び変調した後に、ＵＥは、符号化及び変調された伝送されるべきデータを基地局へ送信する。
【０２１１】
第２適用シナリオでは、図４Ａ及び図４Ｂを参照して、図４Ａはダウンリンクデータ伝送処理を示し、図４Ｂはアップリンクデータ伝送処理を示す。具体的に、本発明の本実施形態で提供されるデータ伝送方法は以下のステップを含む。
【０２１２】
４０１。ＵＥは、複数の伝送品質目標から第１伝送品質目標を決定する。
【０２１３】
４０２。ＵＥは、第１伝送品質目標を基地局へ送信する。
【０２１４】
４０３。ＵＥは、第１伝送品質目標に基づきチャネルを測定し、第１チャネル品質情報を生成する。
【０２１５】
４０４。ＵＥは、第１チャネル品質情報を基地局へ送信する。
【０２１６】
４０５。基地局は、第１チャネル品質情報に基づき伝送されるべきデータのＭＣＳを決定する。
【０２１７】
ダウンリンクデータ伝送の間、方法は以下のステップを更に含む。
【０２１８】
４０６ａ。基地局は、ＵＥへ、伝送されるべきデータのＭＣＳ、及び伝送されるべきデータのＭＣＳに基づき符号化及び変調された伝送されるべきデータを送信する。
【０２１９】
アップリンクデータ伝送の間、方法は以下のステップを更に含む。
【０２２０】
４０６ｂ。基地局は、伝送されるべきデータのＭＣＳをＵＥへ送信する。
【０２２１】
４０７ｂ。伝送されるべきデータの且つ基地局により送信されたＭＣＳに基づき伝送されるべきデータを符号化及び変調した後に、ＵＥは、符号化及び変調された伝送されるべきデータを基地局へ送信する。
【０２２２】
第３適用シナリオでは、図５Ａ及び図５Ｂを参照して、図５Ａはダウンリンクデータ伝送処理を示し、図５Ｂはアップリンクデータ伝送処理を示す。本発明の本実施形態で提供されるデータ伝送方法は以下のステップを含む。
【０２２３】
５０１。ＵＥは、第２伝送品質目標に基づきチャネルを測定し、第２チャネル品質情報を生成する。
【０２２４】
５０２。ＵＥは、第２チャネル品質情報を基地局へ送信する。
【０２２５】
５０３。基地局は、第２伝送品質目標が第１伝送品質目標と同じか否かを決定する。
【０２２６】
第２伝送品質目標が第１伝送品質目標と異なるとき、ステップ５０５が実行される前に、ステップ５０４が実行される。第２伝送品質目標が第１伝送品質目標と同じとき、ステップ５０５が直接実行される。
【０２２７】
５０４。基地局は、第２チャネル品質情報に基づき第１チャネル品質情報を取得する。
【０２２８】
第２チャネル品質情報は、第２伝送品質目標に基づき測定を通じて取得され、基地局は、第２チャネル品質情報を、第１伝送品質目標に特有の第１チャネル品質情報に変換する。
【０２２９】
５０５。基地局は、第１チャネル品質情報に基づき伝送されるべきデータのＭＣＳを決定する。
【０２３０】
ダウンリンクデータ伝送の間、方法は以下のステップを更に含む。
【０２３１】
５０６ａ。基地局は、ＵＥへ、伝送されるべきデータのＭＣＳ、及び伝送されるべきデータのＭＣＳに基づき符号化及び変調された伝送されるべきデータを送信する。
【０２３２】
アップリンクデータ伝送の間、方法は以下のステップを更に含む。
【０２３３】
５０６ｂ。基地局は、伝送されるべきデータのＭＣＳをＵＥへ送信する。
【０２３４】
５０７ｂ。伝送されるべきデータの且つ基地局により送信されたＭＣＳに基づき伝送されるべきデータを符号化及び変調した後に、ＵＥは、符号化及び変調された伝送されるべきデータを基地局へ送信する。
【０２３５】
第４適用シナリオでは、図６Ａ及び図６Ｂを参照して、図６Ａはダウンリンクデータ伝送処理を示し、図６Ｂはアップリンクデータ伝送処理を示す。本発明の本実施形態で提供されるデータ伝送方法は以下のステップを含む。
【０２３６】
６０１。基地局は、複数の伝送品質目標から第１伝送品質目標を決定する。
【０２３７】
６０２。ＵＥはサウンディング信号を基地局へ送信する。
【０２３８】
６０３。基地局は、第１伝送品質目標に基づき、ＵＥにより送信されたサウンディング信号のチャネル品質を測定し、第１チャネル品質情報を生成する。
【０２３９】
６０４。基地局は、第１チャネル品質情報に基づき伝送されるべきデータのＭＣＳを決定する。
【０２４０】
ダウンリンクデータ伝送の間、方法は以下のステップを更に含む。
【０２４１】
６０５ａ。基地局は、ＵＥへ、伝送されるべきデータのＭＣＳ、及び伝送されるべきデータのＭＣＳに基づき符号化及び変調された伝送されるべきデータを送信する。
【０２４２】
アップリンクデータ伝送の間、方法は以下のステップを更に含む。
【０２４３】
６０５ｂ。基地局は、伝送されるべきデータのＭＣＳをＵＥへ送信する。
【０２４４】
６０６ｂ。伝送されるべきデータの且つ基地局により送信されたＭＣＳに基づき伝送されるべきデータを符号化及び変調した後に、ＵＥは、符号化及び変調された伝送されるべきデータを基地局へ送信する。
【０２４５】
本発明の本実施形態で提供されるデータ伝送方法によると、第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０２４６】
図１Ａ、図３Ａ、図４Ａ、図５Ａ、又は図６Ａに対応する実施形態で説明したデータ伝送方法に基づき、本発明の一実施形態は、図１Ａ、図３Ａ、図４Ａ、図５Ａ、又は図６Ａに対応する実施形態で説明したデータ伝送方法を実行するよう構成された第１通信装置を提供する。図７を参照すると、第１通信装置７０は、処理ユニット７０１と、送信ユニット７０２と、を含む。
【０２４７】
処理ユニット７０１は、第１伝送品質目標及び第１チャネル品質情報を取得するよう構成される。第１チャネル品質情報は、第１通信装置と第２通信装置との間のチャネルの品質を示すために使用され、第１チャネル品質情報は第１伝送品質目標に基づき取得される。
【０２４８】
処理ユニット７０２は、第１伝送品質目標及び第１チャネル品質情報に基づき、伝送されるべきデータの変調及び符号化方式ＭＣＳを決定し、伝送されるべきデータのＭＣＳに基づき、伝送されるべきデータを符号化及び変調するよう更に構成される。
【０２４９】
送信ユニット７０２は、第２通信装置へ、伝送されるべきデータのＭＣＳ、及び処理ユニット７０１により符号化及び変調された伝送されるべきデータを送信するよう構成される。
【０２５０】
図１Ｂ、図３Ｂ、図４Ｂ、図５Ｂ、又は図６Ｂに対応する実施形態で説明したデータ伝送方法を参照して、第１通信装置７０は受信ユニット７０３を更に含む。第１通信装置７０は、図１Ｂ、図３Ｂ、図４Ｂ、図５Ｂ、又は図６Ｂに対応する実施形態で説明したデータ伝送方法を実行するよう更に構成されて良い。
【０２５１】
処理ユニット７０１は、第１伝送品質目標及び第１チャネル品質情報を取得するよう構成される。第１チャネル品質情報は、第１通信装置と第２通信装置との間のチャネルの品質を示すために使用され、第１チャネル品質情報は第１伝送品質目標に基づき取得される。
【０２５２】
処理ユニット７０１は、第１伝送品質目標及び第１チャネル品質情報に基づき、伝送されるべきデータの変調及び符号化方式ＭＣＳを決定するよう更に構成される。
【０２５３】
送信ユニット７０２は、伝送されるべきデータのＭＣＳを第２通信装置へ送信するよう構成される。
【０２５４】
受信ユニット７０３は、伝送されるべきデータのＭＣＳに基づき第２通信装置により符号化及び変調された伝送されるべきデータを受信するよう構成される。
【０２５５】
任意で、処理ユニット７０１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。
【０２５６】
さらに、送信ユニット７０２は、第１伝送品質目標を第２通信装置へ送信するよう更に構成され、処理ユニット７０１は、受信ユニット７０３を用いて、第２通信装置により送信された第１チャネル品質情報を受信するよう更に構成される。
【０２５７】
任意で、受信ユニット７０３は、第２通信装置により送信された第２チャネル品質情報を受信するよう更に構成される。第２チャネル品質情報は、第１通信装置と第２通信装置との間のチャネルの且つ第２通信装置により第２伝送品質目標に基づき測定された品質である。
【０２５８】
処理ユニット７０１は、第２チャネル品質情報に基づき第１チャネル品質情報を取得するよう更に構成される。
【０２５９】
任意で、処理ユニット７０１は、受信ユニット７０３を用いて、第２通信装置により送信された第１伝送品質目標を受信するよう更に構成される。
【０２６０】
任意で、処理ユニット７０１は、第２通信装置により送信されたサウンディング信号のチャネル品質を測定し、第１チャネル品質情報を生成するよう更に構成される。
【０２６１】
任意で、処理ユニット７０２は、プリセットマッピング関係又はプリセットマッピングリストに従い、並びに第１伝送品質目標及び第１チャネル品質情報に基づき、伝送されるべきデータのＭＣＳを決定するよう更に構成される。
【０２６２】
任意で、処理ユニット７０１は、受信ユニット７０３を用いて、第２通信装置により送信された第１チャネル品質情報を受信するよう更に構成される。
【０２６３】
任意で、伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０２６４】
任意で、第１チャネル品質情報は、チャネル品質指示子ＣＱＩ、プリコーディング行列指示子ＰＭＩ、及びランク指示ＲＩ、のうちの少なくとも１つを含む。
【０２６５】
本発明の本実施形態で提供される第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調して、符号化及び復調された伝送されるべきデータを第２通信装置へ送信し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０２６６】
図２Ａ、図３Ａ、図４Ａ、図５Ａ、又は図６Ａに対応する実施形態で説明したデータ伝送方法に基づき、本発明の一実施形態は、図２Ａ、図３Ａ、図４Ａ、図５Ａ、又は図６Ａに対応する実施形態で説明したデータ伝送方法を実行するよう構成された第２通信装置を提供する。図８を参照すると、第１通信装置８０は、処理ユニット８０１と、送信ユニット８０２と、を含む。
【０２６７】
受信ユニット８０２は、伝送されるべきデータの且つ第１通信装置により送信された変調及び符号化方式ＭＣＳを受信するよう構成される。伝送されるべきデータのＭＣＳは、第１伝送品質目標及び第１チャネル品質情報に基づき、第１通信装置により決定される。
【０２６８】
受信ユニット８０２は、第１通信装置により送信された伝送されるべきデータを受信するよう更に構成され、処理ユニット８０１は、伝送されるべきデータのＭＣＳに基づき伝送されるべきデータを復調及び復号するよう構成される。
【０２６９】
任意的に、処理ユニット８０１は、第１伝送品質目標を取得し、第１伝送品質目標に基づき第１チャネル品質情報を生成するよう更に構成される。
【０２７０】
送信ユニット８０４は、第１通信装置へ第１チャネル品質情報を送信するよう更に構成される。
【０２７１】
図２Ｂ、図３Ｂ、図４Ｂ、図５Ｂ、又は図６Ｂに対応する実施形態で説明したデータ伝送方法を参照して、第２通信装置８０は送信ユニット８０３を更に含んで良い。第２通信装置７０は、図２Ｂ、図３Ｂ、図４Ｂ、図５Ｂ、又は図６Ｂに対応する実施形態で説明したデータ伝送方法を実行するよう更に構成されて良い。
【０２７２】
受信ユニット８０２は、伝送されるべきデータの且つ第１通信装置により送信された変調及び符号化方式ＭＣＳを受信するよう構成される。伝送されるべきデータのＭＣＳは、第１伝送品質目標及び第１チャネル品質情報に基づき、第１通信装置により決定される。
【０２７３】
処理ユニット８０１は、伝送されるべきデータのＭＣＳに基づき、伝送されるべきデータを符号化及び変調するよう構成される。
【０２７４】
送信ユニット８０３は、伝送されるべきデータを第１通信装置へ送信するよう構成される。
【０２７５】
任意で、処理ユニット８０１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。さらに、送信ユニット８０３は、第１通信装置へ第１伝送品質目標を送信するよう更に構成される。
【０２７６】
代替として、処理ユニット８０１は、受信ユニット８０２を用いて、第１通信装置により送信された第１伝送品質目標を受信するよう更に構成される。
【０２７７】
さらに、任意で、処理ユニット８０１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。
【０２７８】
送信ユニット８０３は、第１通信装置へ第１伝送品質目標を送信するよう更に構成される。
【０２７９】
任意で、処理ユニット８０１は、第２伝送品質目標に基づきチャネルを測定し、第２チャネル品質情報を生成するよう更に構成される。
【０２８０】
送信ユニット８０３は、第１通信装置へ第２チャネル品質情報を送信するよう更に構成される。
【０２８１】
任意で、伝送されるべきデータのＭＣＳが、プリセットマッピング関係又はプリセットマッピングリストに従い、並びに第１伝送品質目標及び第１チャネル品質情報に基づき、第１通信装置により決定される。
【０２８２】
任意で、伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０２８３】
任意で、第１チャネル品質情報は、チャネル品質指示子ＣＱＩ、プリコーディング行列指示子ＰＭＩ、及びランク指示ＲＩ、のうちの少なくとも１つを含む。
【０２８４】
本発明の本実施形態で提供される第２通信装置は、伝送されるべきデータの且つ第１通信装置により送信された変調及び符号化方式ＭＣＳを受信し、第１通信装置により送信された伝送されるべきデータを受信し、伝送されるべきデータのＭＣＳに基づき伝送されるべきデータを復調及び復号し、又は伝送されるべきデータのＭＣＳに基づき伝送されるべきデータを符号化及び変調し、符号化及び変調した伝送されるべきデータを第１通信装置へ送信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０２８５】
図１Ａ、図３Ａ、図４Ａ、図５Ａ、又は図６Ａに対応する実施形態で説明したデータ伝送方法に基づき、本発明の別の実施形態は、図１Ａ、図３Ａ、図４Ａ、図５Ａ、又は図６Ａに対応する実施形態で説明したデータ伝送方法を実行するよう構成された第１通信装置を提供する。図９を参照すると、第１通信装置９０は、プロセッサ９０１、メモリ９０２、送信機９０３、及び受信機９０４を含む。プロセッサ９０１、メモリ９０２送信機９０４、及び受信機９０４は、互いに接続される。メモリ９０２はデータ及びプログラムを格納するよう構成され、プロセッサ９０１は、送信機９０３及び受信機９０４を用いて、図１Ａ、図３Ａ、図４Ａ、図５Ａ、又は図６Ａに対応する実施形態で説明したデータ伝送方法を実行するために、メモリ９０２に格納されたプログラムを呼び出すよう構成される。
【０２８６】
プロセッサ９０１は、第１伝送品質目標及び第１チャネル品質情報を取得するよう構成される。第１チャネル品質情報は、第１通信装置と第２通信装置との間のチャネルの品質を示すために使用され、第１チャネル品質情報は第１伝送品質目標に基づき取得される。
【０２８７】
プロセッサ９０１は、第１伝送品質目標及び第１チャネル品質情報に基づき、伝送されるべきデータの変調及び符号化方式ＭＣＳを決定し、伝送されるべきデータのＭＣＳに基づき、伝送されるべきデータを符号化及び変調するよう更に構成される。
【０２８８】
プロセッサ９０１は、送信機９０３を用いて、第２通信装置へ、伝送されるべきデータのＭＣＳ、及び符号化及び変調された伝送されるべきデータを送信するよう更に構成される。
【０２８９】
図１Ｂ、図３Ｂ、図４Ｂ、図５Ｂ、又は図６Ｂに対応する実施形態で説明したデータ伝送方法を参照して、第１通信装置９０は、図１Ｂ、図３Ｂ、図４Ｂ、図５Ｂ、又は図６Ｂに対応する実施形態で説明したデータ伝送方法を実行するよう更に構成されて良い。
【０２９０】
プロセッサ９０１は、第１伝送品質目標及び第１チャネル品質情報を取得するよう構成される。第１チャネル品質情報は、第１通信装置と第２通信装置との間のチャネルの品質を示すために使用され、第１チャネル品質情報は第１伝送品質目標に基づき取得される。
【０２９１】
プロセッサ９０１は、第１伝送品質目標及び第１チャネル品質情報に基づき、伝送されるべきデータの変調及び符号化方式ＭＣＳを決定するよう更に構成される。
【０２９２】
プロセッサは、送信機９０３を用いて、第２通信装置へ、伝送されるべきデータのＭＣＳを送信するよう更に構成される。
【０２９３】
プロセッサは、受信機９０４を用いて、伝送されるべきデータのＭＣＳに基づき第２通信装置により符号化及び変調された伝送されるべきデータを受信するよう更に構成される。
【０２９４】
任意で、プロセッサ９０１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。
【０２９５】
さらに、プロセッサ９０１は、送信機９０３を用いて、第２通信装置へ、第１伝送品質目標を送信するよう更に構成され、プロセッサ９０１は、受信機９０４を用いて、第２通信装置により送信された第１チャネル品質情報を受信するよう更に構成される。
【０２９６】
任意で、プロセッサ９０１は、受信機９０４を用いて、第２通信装置により送信された第２チャネル品質情報を受信するよう更に構成される。第２チャネル品質情報は、第１通信装置と第２通信装置との間のチャネルの且つ第２通信装置により第２伝送品質目標に基づき測定された品質である。
【０２９７】
プロセッサ９０１は、第２チャネル品質情報に基づき第１チャネル品質情報を取得するよう更に構成される。
【０２９８】
任意で、プロセッサ９０１は、受信機９０４を用いて、第２通信装置により送信された第１伝送品質目標を受信するよう更に構成される。
【０２９９】
任意で、プロセッサ９０１は、第２通信装置により送信されたサウンディング信号のチャネル品質を測定し、第１チャネル品質情報を生成するよう更に構成される。
【０３００】
任意で、プロセッサ９０１は、プリセットマッピング関係又はプリセットマッピングリストに従い、並びに第１伝送品質目標及び第１チャネル品質情報に基づき、伝送されるべきデータのＭＣＳを決定するよう更に構成される。
【０３０１】
任意で、伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０３０２】
任意で、第１チャネル品質情報は、チャネル品質指示子ＣＱＩ、プリコーディング行列指示子ＰＭＩ、及びランク指示ＲＩ、のうちの少なくとも１つを含む。
【０３０３】
本発明の本実施形態で提供される第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調して、符号化及び復調された伝送されるべきデータを第２通信装置へ送信し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０３０４】
図２Ａ、図３Ａ、図４Ａ、図５Ａ、又は図６Ａに対応する実施形態で説明したデータ伝送方法に基づき、本発明の一実施形態は、図２Ａ、図３Ａ、図４Ａ、図５Ａ、又は図６Ａに対応する実施形態で説明したデータ伝送方法を実行するよう構成された第２通信装置を提供する。図１０を参照すると、第２通信装置１００は、プロセッサ１００１、メモリ１００２、送信機１００３、及び受信機１００４を含む。プロセッサ１００１、メモリ１００２送信機１００３、及び受信機１００４は、互いに接続される。メモリ１００２はデータ及びプログラムを格納するよう構成され、プロセッサ１００１は、送信機１００３及び受信機１００４を用いて、図２Ａ、図３Ａ、図４Ａ、図５Ａ、又は図６Ａに対応する実施形態で説明したデータ伝送方法を実行するために、メモリ１００２に格納されたプログラムを呼び出すよう構成される。
【０３０５】
プロセッサ１００１は、受信機１００４を用いて、伝送されるべきデータの且つ第１通信装置により送信された変調及び符号化方式ＭＣＳを受信するよう構成される。伝送されるべきデータのＭＣＳは、第１伝送品質目標及び第１チャネル品質情報に基づき、第１通信装置により決定される。
【０３０６】
プロセッサ１００１は、受信機１００４を用いて、第１通信装置により送信された伝送されるべきデータを受信し、伝送されるべきデータのＭＣＳに基づき伝送されるべきデータを復調及び復号するよう更に構成される。
【０３０７】
図２Ｂ、図３Ｂ、図４Ｂ、図５Ｂ、又は図６Ｂに対応する実施形態で説明したデータ伝送方法を参照して、第２通信装置１００は、図２Ｂ、図３Ｂ、図４Ｂ、図５Ｂ、又は図６Ｂに対応する実施形態で説明したデータ伝送方法を実行するよう更に構成されて良い。
【０３０８】
プロセッサ１００１は、受信機１００４を用いて、伝送されるべきデータの且つ第１通信装置により送信された変調及び符号化方式ＭＣＳを受信するよう構成される。伝送されるべきデータのＭＣＳは、第１伝送品質目標及び第１チャネル品質情報に基づき、第１通信装置により決定される。
【０３０９】
プロセッサ１００１は、伝送されるべきデータのＭＣＳに基づき伝送されるべきデータを符号化及び変調し、送信機１００３を用いて、符号化及び変調された伝送されるべきデータを第１通信装置へ送信するよう更に構成される。
【０３１０】
任意で、プロセッサ１００１は、第１伝送品質目標を取得し、第１伝送品質目標に基づき第１チャネル品質情報を生成するよう更に構成される。
【０３１１】
プロセッサ１００１は、送信機１００３を用いて、第１通信装置へ、第１チャネル品質情報を送信するよう更に構成される。
【０３１２】
任意で、プロセッサ１００１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。さらに、プロセッサ１００１は、送信機１００３を用いて、第１通信装置へ、第１伝送品質目標を送信するよう更に構成される。
【０３１３】
代替として、任意で、プロセッサ１００１は、受信機１００４を用いて、第１通信装置により送信された第１伝送品質目標を受信するよう更に構成される。
【０３１４】
任意で、プロセッサ１００１は、伝送されるべきデータの遅延要件及び信頼性要件に基づき、複数の伝送品質目標から第１伝送品質目標を決定し、送信機１００３を用いて、第１通信装置へ、第１伝送品質目標を送信するよう更に構成される。伝送されるべきデータの遅延要件が低いほど、高い第１伝送品質目標を示す。伝送されるべきデータの信頼性要件が高いほど、高い第１伝送品質目標を示す。
【０３１５】
任意で、プロセッサ１００１は、第２伝送品質目標に基づきチャネルを測定し、第２チャネル品質情報を生成するよう更に構成される。
【０３１６】
プロセッサ１００１は、送信機１００３を用いて、第１通信装置へ、第２チャネル品質情報を送信するよう更に構成される。
【０３１７】
任意で、伝送されるべきデータのＭＣＳが、プリセットマッピング関係又はプリセットマッピングリストに従い、並びに第１伝送品質目標及び第１チャネル品質情報に基づき、第１通信装置により決定される。
【０３１８】
任意で、伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関する別のパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０３１９】
任意で、第１チャネル品質情報は、チャネル品質指示子ＣＱＩ、プリコーディング行列指示子ＰＭＩ、及びランク指示ＲＩ、のうちの少なくとも１つを含む。
【０３２０】
本発明の本実施形態で提供される第２通信装置は、伝送されるべきデータの且つ第１通信装置により送信された変調及び符号化方式ＭＣＳを受信し、第１通信装置により送信された伝送されるべきデータを受信し、伝送されるべきデータのＭＣＳに基づき伝送されるべきデータを復調及び復号し、又は伝送されるべきデータのＭＣＳに基づき伝送されるべきデータを符号化及び変調し、符号化及び変調した伝送されるべきデータを第１通信装置へ送信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０３２１】
図１及び図１０に対応する前述の実施形態に基づき、本発明の一実施形態は、図１〜図６Ｂに対応する実施形態において記載されたデータ伝送方法を実行するよう構成される無線通信システムを提供する。図１１を参照すると、無線通信システム１１０は、第１通信装置１１０１と、第２通信装置１１０２と、を含む。
【０３２２】
第１通信装置は図７に対応する実施形態において記載された第１通信装置であり、第２通信装置は図８に対応する実施形態において記載された第１通信装置である。
【０３２３】
代替として、第１通信装置は図９に対応する実施形態において記載された第１通信装置であり、第２通信装置は図１０に対応する実施形態において記載された第１通信装置である。
【０３２４】
本発明の本実施形態で提供される無線通信システムでは、第１通信装置は第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調して、符号化及び復調された伝送されるべきデータを第２通信装置へ送信し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０３２５】
当業者は、実施形態のステップの全部又は一部が、ハードウェア又は関連するハードウェアに指示するプログラムにより実装されても良いことを理解する。プログラムは、コンピュータ可読記憶媒体に格納されて良い。記憶媒体は、読み出し専用メモリ、磁気ディスク、光ディスク、等を含み得る。
【０３２６】
上述の説明は、本発明の単なる例示的な実施形態であり、本発明を制限することを意図しない。本発明の精神及び原理から逸脱することなく行われる変更、等価置換、及び改良は、本発明の保護範囲に含まれるべきである。
【図１ａ】
2019522393.tif 000006
【図１ｂ】
2019522393.tif 000007
【図２ａ】
2019522393.tif 000008
【図２ｂ】
2019522393.tif 000009
【図３ａ】
2019522393.tif 000010
【図３ｂ】
2019522393.tif 000011
【図４ａ】
2019522393.tif 000012
【図４ｂ】
2019522393.tif 000013
【図５ａ】
2019522393.tif 000014
【図５ｂ】
2019522393.tif 000015
【図６ａ】
2019522393.tif 000016
【図６ｂ】
2019522393.tif 000017
【図７】
2019522393.tif 000018
【図８】
2019522393.tif 000019
【図９】
2019522393.tif 000020
【図１０】
2019522393.tif 000021
【図１１】
2019522393.tif 000022
【手続補正書】
【提出日】平成30年12月12日(2018.12.12)
【手続補正１】
【補正対象書類名】明細書
【補正対象項目名】全文
【補正方法】変更
【補正の内容】
【発明の詳細な説明】
【技術分野】
【０００１】
本発明は、通信技術の分野に関し、特に、データ伝送方法、装置、及びシステムに関する。
【背景技術】
【０００２】
ロングタームエボリューション（ＬＴＥ）システム又は第３世代パートナシッププロジェクト（３ＧＰＰ）のような無線通信システムでは、２つの通信装置間のデータ伝送中に、変調及び符号化方式（ＭＣＳ）は、プリセット伝送品質目標に基づき決定される必要があり、データは決定された変調及び符号化方式に基づき符号化及び変調され、次に送信される。
【０００３】
従来、比較的高い信頼性を要求するサービスでは、伝送品質目標は複数の再送を通じてのみ保証できる。しかしながら、複数の再送は、伝送遅延の増大を引き起こす場合があり、結果として、極めて低い遅延及び比較的高い信頼性の両方を要求するサービスの要件を満たすことができない。さらに、伝送品質目標の向上は、システム伝送効率を低下させることがある。
【０００４】
相応して、従来、伝送品質目標は、低遅延及び高信頼性サービスの要件とシステム効率要件を同時に満たすことができない。
【発明の概要】
【０００５】
伝送品質目標が低遅延及び高信頼性サービスの要件及びシステム効率要件を同時に満たすことができないという従来の問題を解決するために、本発明は、データ伝送方法、装置、及びシステムを提供する。技術的ソリューションは以下の通りである。
【０００６】
第１の態様によると、本発明は、データ伝送方法であって、
第１通信装置により、第１伝送品質目標を取得するステップと、
前記第１通信装置により、第１チャネル品質情報を取得するステップであって、前記第１チャネル品質情報は、前記第１通信装置と第２通信装置との間のチャネルの品質を示すために使用され、前記第１チャネル品質情報は前記第１伝送品質目標に基づき取得される、ステップと、
前記第１通信装置により、前記第１伝送品質目標及び前記第１チャネル品質情報に基づき、伝送されるべきデータの変調及び符号化方式ＭＣＳを決定し、前記伝送されるべきデータの前記ＭＣＳに基づき、前記伝送されるべきデータを符号化及び変調するステップと、
前記第１通信装置により、前記伝送されるべきデータの前記ＭＣＳ及び前記符号化及び変調された伝送されるべきデータを前記第２通信装置へ送信するステップと、を含む方法を提供する。
【０００７】
可能な実装では、第１通信装置により、第１伝送品質目標を取得する前記ステップは、前記第１通信装置により、前記伝送されるべきデータの遅延要件及び信頼性要件に基づき、複数の伝送品質目標から前記第１伝送品質目標を決定するステップを含む。例えば、伝送されるべきデータの遅延要件が低いほど、高い第１伝送品質目標を示し、伝送されるべきデータの信頼性要件が高いほど、高い第１伝送品質目標を示す。さらに、前記方法は、前記第１通信装置により、前記第２通信装置へ前記第１伝送品質目標を送信するステップ、を含み、前記第１通信装置により、第１チャネル品質情報を取得する前記ステップは、前記第１通信装置により、前記第２通信装置により送信された前記第１チャネル品質情報を受信するステップを含む。
【０００８】
可能な実装では、前記第１通信装置により、第１チャネル品質情報を取得する前記ステップは、
前記第１通信装置により、前記第２通信装置により送信された第２チャネル品質情報を受信するステップであって、前記第２チャネル品質情報は、前記第１通信装置と前記第２通信装置との間のチャネルの且つ前記第２通信装置により第２伝送品質目標に基づき測定された品質である、ステップと、
前記第１通信装置が、前記第２伝送品質目標は前記第１伝送品質目標と同じであると決定すると、前記第２チャネル品質情報を前記第１チャネル品質情報として用いるステップと、
前記第１通信装置が、前記第２伝送品質目標は前記第１伝送品質目標と異なると決定すると、前記第２チャネル品質情報に基づき前記第１チャネル品質情報を取得するステップと、を含む。
【０００９】
第２伝送品質目標は、第１通信装置及び第２通信装置により予め格納された伝送品質目標である。第２伝送品質目標は、第１通信装置及び第２通信装置により合意された伝送品質目標であって良い。
【００１０】
可能な実装では、第１通信装置により、第１伝送品質目標を取得する前記ステップは、
前記第１通信装置により、前記第２通信装置により送信された前記第１伝送品質目標を受信するステップを含む。
【００１１】
可能な実装では、前記第１通信装置により、第１チャネル品質情報を取得する前記ステップは、
前記第１通信装置により、前記第２通信装置により送信されたサウンディング信号のチャネル品質を測定し、前記第１チャネル品質情報を生成するステップを含む。
【００１２】
可能な実装では、前記第１通信装置により、第１チャネル品質情報を取得する前記ステップは、
前記第１通信装置により、前記第２通信装置により送信された前記第１チャネル品質情報を受信するステップを含む。
【００１３】
可能な実装では、前記第１通信装置により、前記第１伝送品質目標及び前記第１チャネル品質情報に基づき、伝送されるべきデータのＭＣＳを決定する前記ステップは、
前記第１通信装置により、プリセットマッピング関係又はプリセットマッピングリストに従い、並びに前記第１伝送品質目標及び前記第１チャネル品質情報に基づき、前記伝送されるべきデータの前記ＭＣＳを決定するステップを含む。
【００１４】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばハイブリッド自動再送要求（ＨＡＲＱ）の数に関して、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００１５】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００１６】
第２の態様によると、本発明は、データ伝送方法であって、
第２通信装置により、伝送されるべきデータの且つ第１通信装置により送信された変調及び符号化方式ＭＣＳを受信するステップであって、前記伝送されるべきデータの前記ＭＣＳは、前記第１伝送品質目標及び前記第１チャネル品質情報に基づき前記第１装置により決定される、ステップと、
前記第２通信装置により、前記第１装置により送信された前記伝送されるべきデータを受信し、前記伝送されるべきデータの前記ＭＣＳに基づき前記伝送されるべきデータを復調及び復号するステップと、を含む方法を提供する。
【００１７】
可能な実装では、第２通信装置により、伝送されるべきデータの且つ第１通信装置により送信された変調及び符号化方式ＭＣＳを受信する前記ステップの前に、前記方法は、
前記第２通信装置により、前記第１伝送品質目標を取得し、前記第１伝送品質目標に基づき前記第１チャネル品質情報を生成するステップと、
前記第２通信装置により、前記第１通信装置へ前記第１チャネル品質情報を送信するステップと、を更に含む。
【００１８】
さらに、前記第２通信装置により、前記第１伝送品質目標を取得する前記ステップは、
前記第２通信装置により、前記伝送されるべきデータの遅延要件及び信頼性要件に基づき、複数の伝送品質目標から前記第１伝送品質目標を決定するステップを含む。さらに、前記方法は、前記第２通信装置により、前記第１通信装置へ前記第１伝送品質目標を送信するステップ、を含む。
【００１９】
代替として、前記第２通信装置により、前記第１伝送品質目標を取得する前記ステップは、
前記第２通信装置により、前記第１通信装置により送信された前記第１伝送品質目標を受信するステップを含む。
【００２０】
可能な実装では、第２通信装置により、伝送されるべきデータの且つ第１通信装置により送信された変調及び符号化方式ＭＣＳを受信する前記ステップの前に、前記方法は、
前記第２通信装置により、前記伝送されるべきデータの遅延要件及び信頼性要件に基づき、複数の伝送品質目標から前記第１伝送品質目標を決定するステップと、
前記第２通信装置により、前記第１通信装置へ前記第１伝送品質目標を送信するステップと、を更に含む。
【００２１】
可能な実装では、第２通信装置により、伝送されるべきデータの且つ第１通信装置により送信された変調及び符号化方式ＭＣＳを受信する前記ステップの前に、前記方法は、
前記第２通信装置により、前記第２伝送品質目標を測定し、前記第２チャネル品質情報を生成するステップと、
前記第２通信装置により、前記第１通信装置へ前記第２チャネル品質情報を送信するステップと、を更に含む。
【００２２】
第２伝送品質目標は、第１通信装置及び第２通信装置により予め格納された伝送品質目標である。第２伝送品質目標は、第１通信装置及び第２通信装置により合意された伝送品質目標であって良い。
【００２３】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００２４】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００２５】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００２６】
第３の態様によると、本発明は、データ伝送方法であって、前記第２通信装置から前記第１通信装置へデータを送信する方法であって、第１の態様又は第１の態様の任意の可能な実装で記載されたデータ伝送方法に対応する方法を提供する。前記方法は、
第１通信装置により、第１伝送品質目標を取得するステップと、
前記第１通信装置により、第１チャネル品質情報を取得するステップであって、前記第１チャネル品質情報は、前記第１通信装置と第２通信装置との間のチャネルの品質を示すために使用され、前記第１チャネル品質情報は前記第１伝送品質目標に基づき取得される、ステップと、
前記第１通信装置により、前記第１伝送品質目標及び前記第１チャネル品質情報に基づき、伝送されるべきデータの変調及び符号化方式ＭＣＳを決定するステップと、
前記第１通信装置により、前記第２通信装置へ前記伝送されるべきデータの前記ＭＣＳを送信するステップと、
前記第１通信装置により、前記伝送されるべきデータの前記ＭＣＳに基づき前記第２通信装置により符号化及び変調された前記伝送されるべきデータを受信するステップと、を含む。
【００２７】
可能な実装では、第１通信装置により、第１伝送品質目標を取得する前記ステップは、
前記第１通信装置により、前記伝送されるべきデータの遅延要件及び信頼性要件に基づき、複数の伝送品質目標から前記第１伝送品質目標を決定するステップを含む。例えば、伝送されるべきデータの遅延要件が低いほど、高い第１伝送品質目標を示し、伝送されるべきデータの信頼性要件が高いほど、高い第１伝送品質目標を示す。さらに、前記方法は、前記第１通信装置により、前記第２通信装置へ前記第１伝送品質目標を送信するステップ、を含み、前記第１通信装置により、第１チャネル品質情報を取得する前記ステップは、前記第１通信装置により、前記第２通信装置により送信された前記第１チャネル品質情報を受信するステップを含む。
【００２８】
可能な実装では、前記第１通信装置により、第１チャネル品質情報を取得する前記ステップは、
前記第１通信装置により、前記第２通信装置により送信された第２チャネル品質情報を受信するステップであって、前記第２チャネル品質情報は、前記第１通信装置と前記第２通信装置との間のチャネルの且つ前記第２通信装置により第２伝送品質目標に基づき測定された品質である、ステップと、
前記第１通信装置が、前記第２伝送品質目標は前記第１伝送品質目標と同じであると決定すると、前記第２チャネル品質情報を前記第１チャネル品質情報として用いるステップと、
前記第１通信装置が、前記第２伝送品質目標は前記第１伝送品質目標と異なると決定すると、前記第２チャネル品質情報に基づき前記第１チャネル品質情報を取得するステップと、を含む。
【００２９】
第２伝送品質目標は、第１通信装置及び第２通信装置により予め格納された伝送品質目標である。第２伝送品質目標は、第１通信装置及び第２通信装置により合意された伝送品質目標であって良い。
【００３０】
可能な実装では、第１通信装置により、第１伝送品質目標を取得する前記ステップは、
前記第１通信装置により、前記第２通信装置により送信された前記第１伝送品質目標を受信するステップを含む。
【００３１】
可能な実装では、前記第１通信装置により、第１チャネル品質情報を取得する前記ステップは、
前記第１通信装置により、前記第２通信装置により送信されたサウンディング信号のチャネル品質を測定し、前記第１チャネル品質情報を生成するステップを含む。
【００３２】
可能な実装では、前記第１通信装置により、第１チャネル品質情報を取得する前記ステップは、
前記第１通信装置により、前記第２通信装置により送信された前記第１チャネル品質情報を受信するステップを含む。
【００３３】
可能な実装では、前記第１通信装置により、前記第１伝送品質目標及び前記第１チャネル品質情報に基づき、伝送されるべきデータのＭＣＳを決定する前記ステップは、
前記第１通信装置により、プリセットマッピング関係又はプリセットマッピングリストに従い、並びに前記第１伝送品質目標及び前記第１チャネル品質情報に基づき、前記伝送されるべきデータの前記ＭＣＳを決定するステップを含む。
【００３４】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００３５】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００３６】
第４の態様によると、本発明は、データ伝送方法であって、前記第２通信装置から前記第１通信装置へデータを送信する方法であって、第２の態様又は第２の態様の任意の可能な実装で記載されたデータ伝送方法に対応する方法を提供する。前記方法は、
第２通信装置により、伝送されるべきデータの且つ第１通信装置により送信された変調及び符号化方式ＭＣＳを受信するステップであって、前記伝送されるべきデータの前記ＭＣＳは、前記第１伝送品質目標及び前記第１チャネル品質情報に基づき前記第１装置により決定される、ステップと、
前記第２通信装置により、前記伝送されるべきデータの前記ＭＣＳに基づき前記伝送されるべきデータを符号化及び変調し、前記第１通信装置へ前記符号化及び変調した伝送されるべきデータを送信するステップと、を含む。
【００３７】
可能な実装では、第２通信装置により、伝送されるべきデータの且つ第１通信装置により送信された変調及び符号化方式ＭＣＳを受信する前記ステップの前に、前記方法は、
前記第２通信装置により、前記第１伝送品質目標を取得し、前記第１伝送品質目標に基づき前記第１チャネル品質情報を生成するステップと、
前記第２通信装置により、前記第１通信装置へ前記第１チャネル品質情報を送信するステップと、を更に含む。
【００３８】
さらに、前記第２通信装置により、前記第１伝送品質目標を取得する前記ステップは、
前記第２通信装置により、前記伝送されるべきデータの遅延要件及び信頼性要件に基づき、複数の伝送品質目標から前記第１伝送品質目標を決定するステップを含む。さらに、前記方法は、前記第２通信装置により、前記第１通信装置へ前記第１伝送品質目標を送信するステップ、を含む。
【００３９】
代替として、前記第２通信装置により、前記第１伝送品質目標を取得する前記ステップは、
前記第２通信装置により、前記第１通信装置により送信された前記第１伝送品質目標を受信するステップを含む。
【００４０】
可能な実装では、第２通信装置により、伝送されるべきデータの且つ第１通信装置により送信された変調及び符号化方式ＭＣＳを受信する前記ステップの前に、前記方法は、
前記第２通信装置により、前記伝送されるべきデータの遅延要件及び信頼性要件に基づき、複数の伝送品質目標から前記第１伝送品質目標を決定するステップと、
前記第２通信装置により、前記第１通信装置へ前記第１伝送品質目標を送信するステップと、を更に含む。
【００４１】
可能な実装では、第２通信装置により、伝送されるべきデータの且つ第１通信装置により送信された変調及び符号化方式ＭＣＳを受信する前記ステップの前に、前記方法は、
前記第２通信装置により、前記第２伝送品質目標を測定し、前記第２チャネル品質情報を生成するステップと、
前記第２通信装置により、前記第１通信装置へ前記第２チャネル品質情報を送信するステップと、を更に含む。
【００４２】
第２伝送品質目標は、第１通信装置及び第２通信装置により予め格納された伝送品質目標である。第２伝送品質目標は、第１通信装置及び第２通信装置により合意された伝送品質目標であって良い。
【００４３】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００４４】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００４５】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００４６】
第５の態様によると、本発明は、第１通信装置であって、前記第１通信装置は処理ユニットと送信ユニットとを含み、
前記処理ユニットは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記処理ユニットは、前記第１伝送品質目標及び前記第１チャネル品質情報に基づき、伝送されるべきデータの変調及び符号化方式ＭＣＳを決定し、前記伝送されるべきデータの前記ＭＣＳに基づき、前記伝送されるべきデータを符号化及び変調するよう更に構成され、
前記送信ユニットは、前記第２通信装置へ、前記伝送されるべきデータの前記ＭＣＳ及び前記処理ユニットにより符号化及び変調された前記伝送されるべきデータを送信するよう構成される、第１通信装置を提供する。
【００４７】
可能な実装では、前記処理ユニットは、前記伝送されるべきデータの遅延要件及び信頼性要件に基づき、複数の伝送品質目標から前記第１伝送品質目標を決定するよう更に構成される。さらに、前記第１通信装置は、受信ユニットを含み、前記送信ユニットは、前記第２通信装置へ、前記第１伝送品質目標を送信するよう更に構成され、前記処理ユニットは、前記受信ユニットを用いて、前記第２通信装置により送信された前記第１チャネル品質情報を受信するよう更に構成される。
【００４８】
可能な実装では、前記第１通信装置は、前記第２通信装置により送信された第２チャネル品質情報を受信するよう構成される受信ユニットを更に含み、前記第２チャネル品質情報は、前記第１通信装置と前記第２通信装置との間の前記チャネルの且つ第２送信品質目標に基づき前記第２通信装置により測定された品質であり、
前記処理ユニットは、前記第２チャネル品質情報に基づき、前記第１チャネル品質情報を取得するよう更に構成される。
【００４９】
可能な実装では、前記第１通信装置は、受信ユニットを更に含み、
前記処理ユニットは、前記受信ユニットを用いて、前記第２通信装置により送信された前記第１伝送品質目標を受信するよう更に構成される。
【００５０】
可能な実装では、前記処理ユニットは、前記第２通信装置により送信されたサウンディング信号のチャネル品質を測定し、前記第１チャネル品質情報を生成するよう更に構成される。
【００５１】
可能な実装では、前記第１通信装置は、受信ユニットを更に含み、
前記処理ユニットは、前記受信ユニットを用いて、前記第２通信装置により送信された前記第１伝送品質目標を受信するよう更に構成される。
【００５２】
可能な実装では、処理ユニットは、プリセットマッピング関係又はプリセットマッピングリストに従い、並びに前記第１伝送品質目標及び前記第１チャネル品質情報に基づき、前記伝送されるべきデータの前記ＭＣＳを決定するよう更に構成される。
【００５３】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００５４】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００５５】
第６の態様によると、本発明は、第２通信装置であって、前記第２通信装置は処理ユニットと受信ユニットとを含み、
前記受信ユニットは、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記受信ユニットは、前記第１通信装置により送信された前記伝送されるべきデータを受信するよう更に構成され、前記処理ユニットは、前記伝送されるべきデータの前記ＭＣＳに基づき、前記伝送されるべきデータを復調及び復号するよう構成される、第２通信装置を提供する。
【００５６】
可能な実装では、前記処理ユニットは、前記第１伝送品質目標を取得し、前記第１伝送品質目標に基づき前記第１チャネル品質情報を生成するよう更に構成され、
前記第２通信装置は、前記第１通信装置へ前記第１チャネル品質情報を送信するよう構成される送信ユニットを更に含む。
【００５７】
さらに、処理ユニットは、前記伝送されるべきデータの遅延要件及び信頼性要件に基づき、複数の伝送品質目標から前記第１伝送品質目標を決定するよう構成される。さらに、前記送信ユニットは、前記第１通信装置へ前記第１伝送品質目標を送信するよう構成される。
【００５８】
代替として、処理ユニットは、前記受信ユニットを用いて、前記第１通信装置により送信された前記第１伝送品質目標を受信するよう更に構成される。
【００５９】
可能な実装では、前記処理ユニットは、前記伝送されるべきデータの遅延要件及び信頼性要件に基づき、複数の伝送品質目標から前記第１伝送品質目標を決定するよう更に構成され、
前記第２通信装置は、前記第１通信装置へ前記第１伝送品質目標を送信するよう構成される送信ユニットを更に含む。
【００６０】
可能な実装では、前記処理ユニットは、第２伝送品質目標に基づきチャネルを測定し、第２チャネル品質情報を生成するよう更に構成され、
前記第２通信装置は、前記第１通信装置へ前記第２チャネル品質情報を送信するよう構成される送信ユニットを更に含む。
【００６１】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００６２】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００６３】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００６４】
第７の態様によると、本発明は、第１通信装置であって、処理ユニットと送信ユニットと受信ユニットとを含み、
前記処理ユニットは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記処理ユニットは、前記第１伝送品質目標及び前記第１チャネル品質情報に基づき、伝送されるべきデータの変調及び符号化方式ＭＣＳを決定するよう更に構成され、
前記送信ユニットは、前記第２通信装置へ、前記伝送されるべきデータの前記ＭＣＳを送信するよう構成され、
前記受信ユニットは、前記伝送されるべきデータの前記ＭＣＳに基づき前記第２通信装置により符号化及び変調された前記伝送されるべきデータを受信するよう構成される、第１通信装置を提供する。
【００６５】
可能な実装では、前記処理ユニットは、前記伝送されるべきデータの遅延要件及び信頼性要件に基づき、複数の伝送品質目標から前記第１伝送品質目標を決定するよう更に構成される。さらに、前記送信ユニットは、前記第２通信装置へ、前記第１伝送品質目標を送信するよう更に構成され、前記処理ユニットは、前記受信ユニットを用いて、前記第２通信装置により送信された前記第１チャネル品質情報を受信するよう更に構成される。
【００６６】
可能な実装では、前記受信ユニットは、前記第２通信装置により送信された第２チャネル品質情報を受信するよう構成され、前記第２チャネル品質情報は、前記第１通信装置と前記第２通信装置との間の前記チャネルの且つ第２送信品質目標に基づき前記第２通信装置により測定された品質であり、
前記処理ユニットは、前記第２チャネル品質情報に基づき、前記第１チャネル品質情報を取得するよう更に構成される。
【００６７】
可能な実装では、
前記処理ユニットは、前記受信ユニットを用いて、前記第２通信装置により送信された前記第１伝送品質目標を受信するよう更に構成される。
【００６８】
可能な実装では、前記処理ユニットは、前記第２通信装置により送信されたサウンディング信号のチャネル品質を測定し、前記第１チャネル品質情報を生成するよう更に構成される。
【００６９】
可能な実装では、
前記処理ユニットは、前記受信ユニットを用いて、前記第２通信装置により送信された前記第１伝送品質目標を受信するよう更に構成される。
【００７０】
可能な実装では、処理ユニットは、プリセットマッピング関係又はプリセットマッピングリストに従い、並びに前記第１伝送品質目標及び前記第１チャネル品質情報に基づき、前記伝送されるべきデータの前記ＭＣＳを決定するよう更に構成される。
【００７１】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００７２】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００７３】
第８の態様によると、本発明は、第２通信装置であって、処理ユニットと送信ユニットと受信ユニットとを含み、
前記受信ユニットは、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記処理ユニットは、前記伝送されるべきデータの前記ＭＣＳに基づき、前記伝送されるべきデータを符号化及び変調するよう構成され、
前記送信ユニットは、前記第１通信装置へ、前記符号化及び変調された伝送されるべきデータを送信するよう更に構成される、第２通信装置を提供する。
【００７４】
可能な実装では、前記処理ユニットは、前記第１伝送品質目標を取得し、前記第１伝送品質目標に基づき前記第１チャネル品質情報を生成するよう更に構成され、
前記送信ユニットは、前記第１通信装置へ前記第１チャネル品質情報を送信するよう更に構成される。
【００７５】
さらに、処理ユニットは、前記伝送されるべきデータの遅延要件及び信頼性要件に基づき、複数の伝送品質目標から前記第１伝送品質目標を決定するよう構成される。さらに、前記送信ユニットは、前記第１通信装置へ前記第１伝送品質目標を送信するよう構成される。
【００７６】
代替として、処理ユニットは、前記受信ユニットを用いて、前記第１通信装置により送信された前記第１伝送品質目標を受信するよう更に構成される。
【００７７】
可能な実装では、前記処理ユニットは、前記伝送されるべきデータの遅延要件及び信頼性要件に基づき、複数の伝送品質目標から前記第１伝送品質目標を決定するよう更に構成され、
前記送信ユニットは、前記第１通信装置へ前記第１伝送品質目標を送信するよう更に構成される。
【００７８】
可能な実装では、前記処理ユニットは、第２伝送品質目標に基づきチャネルを測定し、第２チャネル品質情報を生成するよう更に構成され、
前記送信ユニットは、前記第１通信装置へ前記第２チャネル品質情報を送信するよう更に構成される。
【００７９】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００８０】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００８１】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００８２】
第９の態様によると、本発明は、第１通信装置であって、プロセッサとメモリと送信機と受信機とを含み、前記プロセッサ、前記メモリ、前記送信機、及び前記受信機は互いに接続され、
前記プロセッサは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記プロセッサは、前記第１伝送品質目標及び前記第１チャネル品質情報に基づき、伝送されるべきデータの変調及び符号化方式ＭＣＳを決定し、前記伝送されるべきデータの前記ＭＣＳに基づき、前記伝送されるべきデータを符号化及び変調するよう更に構成され、
前記プロセッサは、前記送信機を用いて、前記第２通信装置へ、前記伝送されるべきデータの前記ＭＣＳ及び前記符号化及び変調された伝送されるべきデータを送信するよう更に構成される、第１通信装置を提供する。
【００８３】
可能な実装では、前記プロセッサは、前記伝送されるべきデータの遅延要件及び信頼性要件に基づき、複数の伝送品質目標から前記第１伝送品質目標を決定するよう更に構成される。
【００８４】
さらに、前記プロセッサは、前記送信機を用いて、前記第２通信装置へ、前記第１伝送品質目標を送信するよう構成され、前記プロセッサは、前記受信機を用いて、前記第２通信装置により送信された前記第１チャネル品質情報を受信するよう更に構成される。
【００８５】
可能な実装では、前記プロセッサは、前記受信機を用いて、前記第２通信装置により送信された第２チャネル品質情報を受信するよう更に構成され、前記第２チャネル品質情報は、前記第１通信装置と前記第２通信装置との間の前記チャネルの且つ第２送信品質目標に基づき前記第２通信装置により測定された品質であり、
前記プロセッサは、前記第２チャネル品質情報に基づき、前記第１チャネル品質情報を取得するよう更に構成される。
【００８６】
可能な実装では、前記プロセッサは、前記受信機を用いて、前記第２通信装置により送信された前記第１伝送品質目標を受信するよう更に構成される。
【００８７】
可能な実装では、前記プロセッサは、前記第２通信装置により送信されたサウンディング信号のチャネル品質を測定し、前記第１チャネル品質情報を生成するよう更に構成される。
【００８８】
可能な実装では、前記プロセッサは、前記受信機を用いて、前記第２通信装置により送信された前記第１伝送品質目標を受信するよう更に構成される。
【００８９】
可能な実装では、前記プロセッサは、プリセットマッピング関係又はプリセットマッピングリストに従い、並びに前記第１伝送品質目標及び前記第１チャネル品質情報に基づき、前記伝送されるべきデータの前記ＭＣＳを決定するよう更に構成される。
【００９０】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【００９１】
可能な実装では、第１チャネル品質情報は、チャネル品質指示子ＣＱＩ、プリコーディング行列指示子ＰＭＩ、及びランク指示ＲＩ、のうちの少なくとも１つを含む。
【００９２】
第１０の態様によると、本発明は、第２通信装置であって、プロセッサとメモリと送信機と受信機とを含み、前記プロセッサ、前記メモリ、前記送信機、及び前記受信機は互いに接続され、
前記プロセッサは、前記受信機を用いて、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記プロセッサは、前記受信機を用いて、前記第１通信装置により送信された前記伝送されるべきデータを受信し、前記伝送されるべきデータの前記ＭＣＳに基づき、前記伝送されるべきデータを復調及び復号するよう更に構成される、第２通信装置を提供する。
【００９３】
可能な実装では、前記プロセッサは、前記第１伝送品質目標を取得し、前記第１伝送品質目標に基づき前記第１チャネル品質情報を生成するよう更に構成され、
前記プロセッサは、前記送信機を用いて、前記第１通信装置へ前記第１チャネル品質情報を送信するよう更に構成される。
【００９４】
さらに、可能な実装では、前記プロセッサは、前記伝送されるべきデータの遅延要件及び信頼性要件に基づき、複数の伝送品質目標から前記第１伝送品質目標を決定するよう更に構成される。さらに、前記プロセッサは、前記送信機を用いて、前記第１通信装置へ、前記第１伝送品質目標を送信するよう構成される。
【００９５】
代替として、前記プロセッサは、前記受信機を用いて、前記第１通信装置により送信された前記第１伝送品質目標を受信するよう更に構成される。
【００９６】
可能な実装では、前記プロセッサは、前記伝送されるべきデータの遅延要件及び信頼性要件に基づき、複数の伝送品質目標から前記第１伝送品質目標を決定し、前記送信機を用いて、前記第１通信装置へ、前記第１伝送品質目標を送信するよう更に構成される。
【００９７】
可能な実装では、前記プロセッサは、第２伝送品質目標に基づきチャネルを測定し、第２チャネル品質情報を生成するよう更に構成され、
前記プロセッサは、前記送信機を用いて、前記第１通信装置へ前記第２チャネル品質情報を送信するよう更に構成される。
【００９８】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【００９９】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０１００】
可能な実装では、前記第１チャネル品質情報は、チャネル品質指示子ＣＱＩ、プリコーディング行列指示子ＰＭＩ、及びランク指示ＲＩ、のうちの少なくとも１つを含む。
【０１０１】
第１１の態様によると、本発明は、第１通信装置であって、プロセッサとメモリと送信機と受信機とを含み、前記プロセッサ、前記メモリ、前記送信機、及び前記受信機は互いに接続され、
前記プロセッサは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記プロセッサは、前記第１伝送品質目標及び前記第１チャネル品質情報に基づき、伝送されるべきデータの変調及び符号化方式ＭＣＳを決定するよう更に構成され、
前記プロセッサは、前記送信機を用いて、前記第２通信装置へ、前記伝送されるべきデータの前記ＭＣＳを送信するよう更に構成され、
前記プロセッサは、前記受信機を用いて、前記伝送されるべきデータの前記ＭＣＳに基づき前記第２通信装置により符号化及び変調された前記伝送されるべきデータを受信するよう更に構成される、第１通信装置を提供する。
【０１０２】
可能な実装では、前記プロセッサは、前記伝送されるべきデータの遅延要件及び信頼性要件に基づき、複数の伝送品質目標から前記第１伝送品質目標を決定するよう更に構成される。
【０１０３】
さらに、前記プロセッサは、前記送信機を用いて、前記第２通信装置へ、前記第１伝送品質目標を送信するよう構成され、前記プロセッサは、前記受信機を用いて、前記第２通信装置により送信された前記第１チャネル品質情報を受信するよう更に構成される。
【０１０４】
可能な実装では、前記プロセッサは、前記受信機を用いて、前記第２通信装置により送信された第２チャネル品質情報を受信するよう更に構成され、前記第２チャネル品質情報は、前記第１通信装置と前記第２通信装置との間の前記チャネルの且つ第２送信品質目標に基づき前記第２通信装置により測定された品質であり、
前記プロセッサは、前記第２チャネル品質情報に基づき、前記第１チャネル品質情報を取得するよう更に構成される。
【０１０５】
可能な実装では、前記プロセッサは、前記受信機を用いて、前記第２通信装置により送信された前記第１伝送品質目標を受信するよう更に構成される。
【０１０６】
可能な実装では、前記プロセッサは、前記第２通信装置により送信されたサウンディング信号のチャネル品質を測定し、前記第１チャネル品質情報を生成するよう更に構成される。
【０１０７】
可能な実装では、前記プロセッサは、前記受信機を用いて、前記第２通信装置により送信された前記第１伝送品質目標を受信するよう更に構成される。
【０１０８】
可能な実装では、前記プロセッサは、プリセットマッピング関係又はプリセットマッピングリストに従い、並びに前記第１伝送品質目標及び前記第１チャネル品質情報に基づき、前記伝送されるべきデータの前記ＭＣＳを決定するよう更に構成される。
【０１０９】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０１１０】
可能な実装では、前記第１チャネル品質情報は、チャネル品質指示子ＣＱＩ、プリコーディング行列指示子ＰＭＩ、及びランク指示ＲＩ、のうちの少なくとも１つを含む。
【０１１１】
第１２の態様によると、本発明は、第２通信装置であって、プロセッサとメモリと送信機と受信機とを含み、前記プロセッサ、前記メモリ、前記送信機、及び前記受信機は互いに接続され、
前記プロセッサは、前記受信機を用いて、伝送されるべきデータの且つ第１通信装置により送信された変調及び符号化方式ＭＣＳを受信するよう構成され、前記伝送されるべきデータの前記ＭＣＳは、前記第１伝送品質目標及び前記第１チャネル品質情報に基づき前記第１通信装置により決定され、
前記プロセッサは、前記伝送されるべきデータの前記ＭＣＳに基づき前記伝送されるべきデータを符号化及び変調し、前記送信機用いて、前記第１通信装置へ、前記符号化及び変調した伝送されるべきデータを送信するよう更に構成される、第２通信装置を提供する。
【０１１２】
可能な実装では、前記プロセッサは、前記第１伝送品質目標を取得し、前記第１伝送品質目標に基づき前記第１チャネル品質情報を生成するよう更に構成され、
前記プロセッサは、前記送信機を用いて、前記第１通信装置へ前記第１チャネル品質情報を送信するよう更に構成される。
【０１１３】
さらに、可能な実装では、前記プロセッサは、前記伝送されるべきデータの遅延要件及び信頼性要件に基づき、複数の伝送品質目標から前記第１伝送品質目標を決定するよう構成される。さらに、前記プロセッサは、前記送信機を用いて、前記第１通信装置へ、前記第１伝送品質目標を送信するよう構成される。
【０１１４】
代替として、前記プロセッサは、前記受信機を用いて、前記第１通信装置により送信された前記第１伝送品質目標を受信するよう更に構成される。
【０１１５】
可能な実装では、前記プロセッサは、前記伝送されるべきデータの遅延要件及び信頼性要件に基づき、複数の伝送品質目標から前記第１伝送品質目標を決定し、前記送信機を用いて、前記第１通信装置へ、前記第１伝送品質目標を送信するよう更に構成される。
【０１１６】
可能な実装では、前記プロセッサは、第２伝送品質目標に基づきチャネルを測定し、第２チャネル品質情報を生成するよう更に構成され、
前記プロセッサは、前記送信機を用いて、前記第１通信装置へ前記第２チャネル品質情報を送信するよう更に構成される。
【０１１７】
可能な実装では、前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される。
【０１１８】
可能な実装では、前記伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０１１９】
可能な実装では、前記第１チャネル品質情報は、チャネル品質指示子ＣＱＩ、プリコーディング行列指示子ＰＭＩ、及びランク指示ＲＩ、のうちの少なくとも１つを含む。
【０１２０】
第１３の態様によると、本発明は、無線通信システムであって、第１通信装置及び第２通信装置を含み、前記第１通信装置は第５の態様又は第５の態様の任意の可能な実装で記載された第１通信装置であり、前記第２通信装置は第６の態様又は第６の態様の任意の可能な実装で記載された第２通信装置である、無線通信システムを提供する。
【０１２１】
第１４の態様によると、本発明は、無線通信システムであって、第１通信装置及び第２通信装置を含み、前記第１通信装置は第４の態様又は第７の態様の任意の可能な実装で記載された第１通信装置であり、前記第２通信装置は第８の態様又は第８の態様の任意の可能な実装で記載された第２通信装置である、無線通信システムを提供する。
【０１２２】
第１５の態様によると、本発明は、無線通信システムであって、第１通信装置及び第２通信装置を含み、前記第１通信装置は第９の態様又は第９の態様の任意の可能な実装で記載された第１通信装置であり、前記第２通信装置は第１０の態様又は第１０の態様の任意の可能な実装で記載された第２通信装置である、無線通信システムを提供する。
【０１２３】
第１６の態様によると、本発明は、無線通信システムであって、第１通信装置及び第２通信装置を含み、前記第１通信装置は第１１の態様又は第１１の態様の任意の可能な実装で記載された第１通信装置であり、前記第２通信装置は第１２の態様又は第１２の態様の任意の可能な実装で記載された第２通信装置である、無線通信システムを提供する。
【０１２４】
本発明の本実施形態で提供されるデータ伝送方法、装置、及びシステムによると、第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調して、符号化及び変調した伝送されるべきデータを第２通信装置へ送信し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０１２５】
上述の全体的説明及び以下の詳細な説明は、単なる説明及び例示のためであり、本発明を限定することを意図しないことが理解されるべきである。
【図面の簡単な説明】
【０１２６】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【０１２７】
【図１Ａ】本発明の一実施形態によるデータ伝送方法の概略フローチャートである。
【０１２８】
【図１Ｂ】本発明の一実施形態による別のデータ伝送方法の概略フローチャートである。
【０１２９】
【図２Ａ】本発明の別の実施形態によるデータ伝送方法の概略フローチャートである。
【０１３０】
【図２Ｂ】本発明の別の実施形態による別のデータ伝送方法の概略フローチャートである。
【０１３１】
【図３Ａ】本発明の一実施形態による第１適用シナリオにおけるダウンリンクデータ伝送方法の概略フローチャートである。
【０１３２】
【図３Ｂ】本発明の一実施形態による第１適用シナリオにおけるアップリンクデータ伝送方法の概略フローチャートである。
【０１３３】
【図４Ａ】本発明の一実施形態による第２適用シナリオにおけるダウンリンクデータ伝送方法の概略フローチャートである。
【０１３４】
【図４Ｂ】本発明の一実施形態による第２適用シナリオにおけるアップリンクデータ伝送方法の概略フローチャートである。
【０１３５】
【図５Ａ】本発明の一実施形態による第３適用シナリオにおけるダウンリンクデータ伝送方法の概略フローチャートである。
【０１３６】
【図５Ｂ】本発明の一実施形態による第３適用シナリオにおけるアップリンクデータ伝送方法の概略フローチャートである。
【０１３７】
【図６Ａ】本発明の一実施形態による第４適用シナリオにおけるダウンリンクデータ伝送方法の概略フローチャートである。
【０１３８】
【図６Ｂ】本発明の一実施形態による第４適用シナリオにおけるアップリンクデータ伝送方法の概略フローチャートである。
【０１３９】
【図７】本発明の一実施形態による第１通信装置の概略構造図である。
【０１４０】
【図８】本発明の一実施形態による第２通信装置の概略構造図である。
【０１４１】
【図９】本発明の別の実施形態による第１通信装置の概略構造図である。
【０１４２】
【図１０】本発明の別の実施形態による第２通信装置の概略構造図である。
【０１４３】
【図１１】本発明の一実施形態による無線通信システムの概略構造図である。
【０１４４】
前述の添付の図面は、本発明の特定の実施形態を示し、更に詳細な説明が以下に提供される。添付の図面及び文字の説明は、いかなる方法でも本発明の実施形態の概念の範囲を限定することを意図せず、本発明の概念を特定の実施形態を参照して当業者に説明することを意図する。
【発明を実施するための形態】
【０１４５】
本発明の目的、技術的ソリューション、及び利点をより明らかにするために、以下は、本発明の実施形態を、添付の図面を参照して更に詳述する。
【０１４６】
本発明の一実施形態は、データ伝送方法を提供する。図１Ａを参照すると、方法は以下のステップを含む。
【０１４７】
１０１。第１通信装置は、第１伝送品質目標を取得する。
【０１４８】
第１伝送品質目標は、伝送されるべきデータの伝送品質目標を示すために使用される。ここで、第１通信装置は、基地局（ＢＳ）、無線アクセスポイント（ＡＰ）、端末装置、等であって良く、第２通信装置は、端末装置、移動局（ＭＳ）、基地局、等であって良い。ロングタームエボリューション（ＬＴＥ）システムでは、基地局は進化型ＮｏｄｅＢ（ｅＮＢ）であって良く、端末装置はユーザ機器（User  Equipment）であって良い。
【０１４９】
任意で、ステップ１０１又はステップ１０２の前に、第１通信装置は第１伝送品質目標を取得して良い。具体的に、第１通信装置は、以下の２つの方法で、第１伝送品質目標を取得して良い。
【０１５０】
方法１。第１通信装置は、伝送されるべきデータの遅延要件及び信頼性要件に基づき、複数の伝送品質目標から第１伝送品質目標を決定する。伝送されるべきデータの遅延要件が低いほど、高い第１伝送品質目標を示す。伝送されるべきデータの信頼性要件が高いほど、高い第１伝送品質目標を示す。例えば、一般的サービスの伝送品質目標はＢＬＥＲ＜０．１であり、低遅延且つ高信頼性サービスの伝送品質目標はＢＬＥＲ＜０．００００１である。方法１では、第１通信装置は、第２通信装置へ第１伝送品質目標を更に送信して良い。
【０１５１】
任意で、第１伝送品質目標を決定する方法は次の通りである。伝送されるべきデータの遅延が無線インタフェース伝送遅延と固定値との和以下である場合、第１伝送品質目標は、伝送されるべきデータにより要求されるブロック誤り率に設定される。無線インタフェース伝送遅延が０．５ｍｓであり、固定値が０．５ｍｓに設定され、伝送されるべきデータの遅延が１ｍｓであり、及び伝送されるべきデータのブロック誤り率が０．００００１であると仮定すると、伝送されるべきデータの第１伝送品質目標は、伝送されるべきデータのブロック誤り率ＢＬＥＲが０．００００１以下であることである。伝送されるべきデータの遅延が１０ｍｓであり、及び伝送されるべきデータのブロック誤り率が０．００００１である場合、伝送されるべきデータの第１伝送品質目標は、ＢＬＥＲ＜０．１であり、伝送されるべきデータのブロック誤り率を更に低減するために再送が実行されて良い。
【０１５２】
代替として、第１伝送品質目標を決定する方法は次の通りである。システムは、少なくとも２つの伝送品質目標を含む。１つの伝送品質目標はＢＬＥＲ＜０．１であり、別の伝送品質目標はＢＬＥＲ＜０．００００１である。伝送されるべきデータが一般的サービスのものである場合、伝送品質目標はＢＬＥＲ＜０．１である。伝送されるべきデータが超低遅延且つ高信頼性サービスである場合、伝送品質目標はＢＬＥＲ＜０．００００１である。伝送品質目標は、ここでは、１つの無線インタフェース伝送の伝送品質目標である。別の可能な第１伝送品質目標を決定する方法は次の通りである。システムは、少なくとも３つの伝送品質目標を含む。１つの伝送品質目標はＢＬＥＲ＜０．１であり、１つの伝送品質目標はＢＬＥＲ＜０．００００１であり、もう１つの伝送品質目標はＢＬＥＲ＜０．００００００１である。伝送されるべきサービスのエンドツーエンド伝送遅延が５ｍｓより大きい場合、伝送品質目標はＢＬＥＲ＜０．１である。伝送されるべきデータのエンドツーエンド伝送遅延が１ｍｓより小さい場合、伝送品質目標はＢＬＥＲ＜０．００００００１である。伝送されるべきサービスのエンドツーエンド伝送遅延が１ｍｓと５ｍｓの間である場合、伝送品質目標はＢＬＥＲ＜０．００００１である。
【０１５３】
好適な適用シナリオでは、第１通信装置は、第２通信装置へ第１伝送品質目標を送信し、第２通信装置により送信された第１チャネル品質情報を受信して良い。このように、第２通信装置は第１伝送品質目標を受信し、第２通信装置は、第１伝送品質目標に基づきチャネルを測定して、第１チャネル品質情報を直接取得し、そして第１チャネル品質情報を第１通信装置へ送信して良い。
【０１５４】
方法２。第１通信装置は、第２通信装置により送信された第１伝送品質目標を受信する。第２通信装置は、伝送されるべきデータの遅延要件及び信頼性要件に基づき、複数の伝送品質目標から第１伝送品質目標を決定して良い。例えば、伝送されるべきデータの遅延要件が低いほど、高い第１伝送品質目標を示し、伝送されるべきデータの信頼性要件が高いほど、高い第１伝送品質目標を示す。例えば、一般的サービスの伝送品質目標はＢＬＥＲ＜０．１であり、低遅延且つ高信頼性サービスの伝送品質目標はＢＬＥＲ＜０．００００１である。第２通信装置は、方法１における第１通信装置による第１伝送品質目標を決定する方法に従い、第１伝送品質目標を決定して良い。詳細事項は、ここで繰り返されない。代替として、第２通信装置は、第１伝送品質目標を決定する必要がない（ステップ１０２で、第２通信装置が第２適用シナリオで第２伝送品質目標に基づきチャネルを測定するソリューションに対応する）。第２伝送品質目標は、第１通信装置及び第２通信装置により予め格納された伝送品質目標である。第２伝送品質目標は、第１通信装置及び第２通信装置により合意された伝送品質目標であって良い。例えば、ＢＬＥＲ＜０．１が第２伝送品質目標として使用される。
【０１５５】
留意すべきことに、第１伝送品質目標を取得する前述の２つの方法では、データ伝送の伝送品質目標は、物理レイヤ制御シグナリング又は伝送のための上位レイヤシグナリングの中で伝達されて良い。上位レイヤシグナリングは、媒体アクセス制御（ＭＡＣ）シグナリング、無線リソース制御（ＲＲＣ）シグナリング、等であって良い。
【０１５６】
さらに、第１伝送品質目標について有効時間が設定されて良い。例えば、物理レイヤシグナリングは、伝送品質目標の有効時間を示すために使用されて良く、或いは、上位レイヤシグナリングは、複数の一時的な伝送品質目標の有効時間を示すために使用されて良い。
【０１５７】
物理レイヤシグナリング及び上位レイヤシグナリングの両方が第１伝送品質目標を示すとき、優先度が予め定められて良い。例えば、物理レイヤシグナリング及び上位レイヤシグナリングが同時に受信されると、物理レイヤシグナリングの指示が優先する。代替として、第１伝送品質目標を示す物理レイヤシグナリングが、伝送されるべきデータの伝送品質目標の且つ上位レイヤシグナリングにより示される有効時間の範囲内で受信された場合、物理レイヤシグナリングの指示が優先する。
【０１５８】
１０２。第１通信装置は第１チャネル品質情報を取得する。
【０１５９】
第１チャネル品質情報は、第１通信装置と第２通信装置との間のチャネルの品質を示すために使用され、第１チャネル品質情報は第１伝送品質目標に基づき取得される。任意で、第１伝送品質目標は、目標ブロック誤り率（ＢＬＥＲ）及び目標信号対雑音比（ＳＮＲ）のうちの少なくとも１つを含んで良い。第１チャネル品質情報は、チャネル品質指示子（ＣＱＩ）、プリコーディング行列指示子（ＰＭＩ）、及びランク指示（ＲＩ）のうちの少なくとも１つを含んで良い。
【０１６０】
任意で、第１チャネル品質情報をどのように取得するかを説明するために、３つの特定の適用シナリオが、ここで列挙される。
【０１６１】
第１シナリオでは、第１通信装置は、第２通信装置により送信された第１チャネル品質情報を受信する。
【０１６２】
このように、第２通信装置は第１伝送品質目標を受信し、第１伝送品質目標に基づきチャネルを測定し、第１チャネル品質情報を生成し、第１チャネル品質情報を第１通信装置へ送信する。
【０１６３】
第２適用シナリオでは、第１通信装置は、第２通信装置により送信された第２チャネル品質情報を受信し、第２チャネル品質情報に基づき第１チャネル品質情報を取得する。第２チャネル品質情報は、第１通信装置と第２通信装置との間のチャネルの且つ第２通信装置により第２伝送品質目標に基づき測定された品質である。第２伝送品質目標が第１伝送品質目標と同じであると決定すると、第１通信装置は、第２チャネル品質情報を第１チャネル品質情報として使用する。第２伝送品質目標が第１伝送品質目標と異なると決定すると、第１通信装置は、第２チャネル品質情報に基づき第１チャネル品質情報を取得する。
【０１６４】
ここで、表１は第２適用シナリオを説明するための一例として使用される。表１を参照すると、表１は、２つの伝送品質目標：ＢＬＥＲ＜０．１及びＢＬＥＲ＜０．００００１を示す。第１チャネル品質情報は、表１中でＣＱＩインデックスにより表されるＣＱＩを含む。例えば、ＢＬＥＲ＜０．００００１は第１伝送品質目標であり、ＢＬＥＲ＜０．１は第２伝送品質目標である。例えば、第２通信装置により送信され且つ第１通信装置により受信された第２チャネル品質情報は、ＣＱＩが６であることを示す。しかしながら、第２伝送品質目標は、第１伝送品質目標と異なる。第２チャネル品質情報は、第２伝送品質目標（ＢＬＥＲ＜０．１）に基づき、第２通信装置によるチャネル測定を通じて取得される。したがって、第２伝送品質目標（ＢＬＥＲ＜０．１）に対応する列において、ＣＱＩが６のとき、対応するＳＮＲは３であることが分かる。次に、第１伝送品質目標（ＢＬＥＲ＜０．００００１）に対応する列において、３以下であり且つ３に最も近いＳＮＲは２．０５であることが分かる。最後に、ＣＱＩ  Ｉｎｄｅｘに対応する列において、ＳＮＲ（ＢＬＥＲ＜０．００００１）が２．０５のとき、対応するＣＱＩは３であることが分かる。これに基づき、第１チャネル品質情報はＣＱＩ＝３であると決定できる。
【表１】
2019522393.tif 000023
【０１６５】
第３適用シナリオでは、第１通信装置は、第２通信装置により送信されたサウンディング信号のチャネル品質を測定し、第１チャネル品質情報を生成する。
【０１６６】
ステップ１０１とステップ１０２との間に必要な順序は存在しない。
【０１６７】
１０３ａ。第１通信装置は、第１伝送品質目標及び第１チャネル品質情報に基づき、伝送されるべきデータの変調及び符号化方式（ＭＣＳ）を決定し、伝送されるべきデータのＭＣＳに基づき、伝送されるべきデータを符号化及び変調する。
【０１６８】
第１通信装置は、プリセットマッピング関係又はプリセットマッピングリストに従い、並びに第１伝送品質目標及び第１チャネル品質情報に基づき、伝送されるべきデータのＭＣＳを決定して良い。表１を参照すると、表１は、第１伝送品質目標と第１チャネル品質情報との間のマッピング関係を含む。表２に示すように、表２は、第１チャネル品質情報と伝送されるべきデータのＭＣＳとの間の特定のマッピング関係を示す。ＭＣＳは、直交位相偏移変調（ＱＰＳＫ）、１６直交振幅変調（ＱＡＭ）、又は６４ＱＡＭを含んで良い。
【表２】
2019522393.tif 000024
【０１６９】
留意すべきことに、本発明では複数の伝送品質目標が存在し、異なるマッピングリストが異なる伝送品質目標に対して使用されて良い。例えば、２つの伝送品質目標ＢＬＥＲ＜０．１及びＢＬＥＲ＜０．００００１について、第１伝送品質目標がＢＬＥＲ＜０．１のとき、表２が使用されて良く、第１伝送品質目標がＢＬＥＲ＜０．００００１のとき、表３が使用されて良い。表３のＭＣＳは、二位相偏移変調（ＢＰＳＫ）、ＱＰＳＫ、１６ＱＡＭ、６４ＱＡＭ、又は２５６ＱＡＭを含んで良い。
【表３】
2019522393.tif 000025
【０１７０】
１０４ａ。第１通信装置は、伝送されるべきデータのＭＣＳ及び符号化及び変調された伝送されるべきデータを第２通信装置へ送信する。
【０１７１】
図１Ａは、第１通信装置から第２通信装置へのデータ伝送の概略フローチャートである。図１Ｂを参照すると、図１Ｂは、第２通信装置から第１通信装置へのデータ伝送の概略フローチャートである。図１Ｂに示す別のデータ伝送方法は以下のステップを含む。
【０１７２】
１０１。第１通信装置は、第１伝送品質目標を取得する。
【０１７３】
１０２。第１通信装置は第１チャネル品質情報を取得する。
【０１７４】
第１チャネル品質情報は、第１通信装置と第２通信装置との間のチャネルの品質を示すために使用され、第１チャネル品質情報は第１伝送品質目標に基づき取得される。
【０１７５】
１０３ｂ。第１通信装置は、第１伝送品質目標及び第１チャネル品質情報に基づき、伝送されるべきデータの変調及び符号化方式ＭＣＳを決定する。
【０１７６】
１０４ｂ。第１通信装置は、伝送されるべきデータのＭＣＳを第２通信装置へ送信する。
【０１７７】
１０５ｂ。第１通信装置は、伝送されるべきデータのＭＣＳに基づき第２通信装置により符号化及び変調された伝送されるべきデータを受信する。
【０１７８】
望ましくは、第１通信装置は基地局であって良く、第２通信装置はＵＥであって良い。この場合、ステップ１０１〜ステップ１０４ａはダウンリンクデータ伝送シナリオで実行され、ステップ１０１〜ステップ１０５ｂはアップリンクデータ伝送シナリオで実行される。
【０１７９】
従来、適応符号化及び変調技術は、通常、伝送品質を保証しながらスペクトル利用を向上するために使用される。適応符号化及び変調では、通信受信端は、チャネル品質を測定し、チャネル品質を送信端にフィードバックし、送信端は、プリセット伝送品質目標（例えば、ブロック誤り率が１０％である）に基づき、プリセット伝送品質目標に最も適切な変調及び符号化方式を選択し、送信されるべき信号を符号化及び変調し、該信号を受信端へ送信する。代替として、通信受信端は、チャネル品質を測定し、送信端と等位下伝送品質目標に基づき変調及び符号化方式を提案し、変調及び符号化方式を送信端にフィードバックする。送信端は、提案された変調及び符号化方式に基づき送信を実行する。一般的に、伝送品質目標は合意されている。例えば、１つの無線インタフェース伝送の伝送品質目標は、ブロック誤り率が０．１未満であることである。比較的高い信頼性要件を有するサービスでは、ブロック誤り率を更に低減するために再送が実行されて良い。例えば、３ＧＰＰ  ＬＴＥシステムでは、最大８回の再送が実行され得る。しかしながら、複数の再送は、伝送遅延の増大を引き起こす場合があり、結果として、極めて低い遅延及び比較的高い信頼性の両方を要求するサービスの要件を満たすことができない。しかしながら、ブロック誤り率についての要件が引き上げられる、例えば、ブロック誤り率がＢＬＥＲ＜０．００００１に高められる場合、相応して、比較的低いビットレート及びより低次の変調及び符号化方式が必要とされる。これは、システム伝送効率を低下させる。したがって、従来における１つの無線インタフェース伝送の１つの伝送品質目標のみを設定することは、低遅延且つ高信頼性要件及びシステム効率要件を同時に満たすことができない。
【０１８０】
本発明では、伝送されるべきデータに適する伝送品質目標が柔軟に決定でき、次に第１チャネル品質情報が伝送品質目標に基づき取得され、伝送されるべきデータの伝送品質目標を満たすＭＣＳが決定され、それによりデータ伝送のサービス要件を満たす。例えば、低遅延且つ高信頼性を要求するデータ伝送では、低次変調方式及び比較的低いビットレートに対応して、比較的高い伝送品質目標が選択されて良く、一方で、高遅延要件を有しないデータ伝送では、高次変調方式及び比較的高いビットレートに対応して、比較的低い伝送品質目標が選択されて良い。この場合、遅延及び信頼性についての異なるサービスの要件は満たされ、一方でシステム効率が保証される。
【０１８１】
本発明の本実施形態で提供されるデータ伝送方法によると、第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０１８２】
図１Ａに対応する実施形態を参照して、本発明の別の実施形態はデータ伝送方法を提供する。本方法は、第２通信装置側の方法であり、図１Ａに対応する実施形態で説明されたデータ伝送方法に対応する。図２Ａに示すように、方法は以下のステップを含む。
【０１８３】
２０１。第２通信装置は、伝送されるべきデータの且つ第１通信装置により送信された変調及び符号化方式ＭＣＳを受信する。
【０１８４】
伝送されるべきデータのＭＣＳは、第１伝送品質目標及び第１チャネル品質情報に基づき、第１通信装置により決定される。
【０１８５】
任意で、ステップ２０１の前に、方法は以下を更に含み得る：
第２通信装置により、第１伝送品質目標を取得し、第１伝送品質目標に基づき第１チャネル品質情報を生成し、第２通信装置により、第１チャネル品質情報を第１通信装置へ送信するステップ。
【０１８６】
具体的に、可能な実装では、第２通信装置は、伝送されるべきデータの遅延要件及び信頼性要件に基づき、複数の伝送品質目標から第１伝送品質目標を決定して良い。伝送されるべきデータの遅延要件が低いほど、高い第１伝送品質目標を示す。伝送されるべきデータの信頼性要件が高いほど、高い第１伝送品質目標を示す。
【０１８７】
更に任意で、第２通信装置は、第１通信装置へ第１伝送品質目標を送信して良い。
【０１８８】
別の可能な実装では、第２通信装置は、第１通信装置により送信された第１伝送品質目標を受信して良い。
【０１８９】
任意で、ステップ２０１の前に、方法は以下を更に含み得る：
第２通信装置により、第２伝送品質目標に基づきチャネルを測定し、第２チャネル品質情報を生成するステップと、
第２通信装置により、第２チャネル品質情報を第１通信装置へ送信するステップ。
【０１９０】
さらに、任意で、ステップ２０１の前に、第２通信装置は、伝送されるべきデータの遅延要件及び信頼性要件に基づき、複数の伝送品質目標から第１伝送品質目標を決定し第１通信装置へ第１伝送品質目標を送信して良い。したがって、第１通信装置は第１チャネル品質情報を取得する。伝送されるべきデータの遅延要件が低いほど、高い第１伝送品質目標を示す。伝送されるべきデータの信頼性要件が高いほど、高い第１伝送品質目標を示す。
【０１９１】
２０２ａ。第２通信装置は、第１通信装置により送信された伝送されるべきデータを受信し、伝送されるべきデータのＭＣＳに基づき伝送されるべきデータを復調及び復号する。
【０１９２】
図２Ａは、第１通信装置から第２通信装置へのデータ伝送の概略フローチャートである。図２Ｂを参照すると、図２Ｂは、第２通信装置から第１通信装置へのデータ伝送の概略フローチャートである。図２Ｂに示す別のデータ伝送方法は以下のステップを含む。
【０１９３】
２０１。第２通信装置は、伝送されるべきデータの且つ第１通信装置により送信された変調及び符号化方式ＭＣＳを受信する。
【０１９４】
伝送されるべきデータのＭＣＳは、第１伝送品質目標及び第１チャネル品質情報に基づき、第１通信装置により決定される。
【０１９５】
２０２ｂ。第２通信装置は、伝送されるべきデータのＭＣＳに基づき伝送されるべきデータを符号化及び変調し、符号化及び変調された伝送されるべきデータを第１通信装置へ送信する。
【０１９６】
ステップ２０２ａ又は２０２ｂについて、任意で、伝送されるべきデータのＭＣＳが、プリセットマッピング関係又はプリセットマッピングリストに従い、並びに第１伝送品質目標及び第１チャネル品質情報に基づき、第１通信装置により決定されて良い。
【０１９７】
任意で、伝送品質目標は、目標ブロック誤り率ＢＬＥＲ及び目標信号対雑音比ＳＮＲのうちの少なくとも１つを含んで良く、第１チャネル品質情報は、チャネル品質指示子ＣＱＩ、プリコーディング行列指示子ＰＭＩ、及びランク指示ＲＩのうちの少なくとも１つを含んで良い。
【０１９８】
本発明の本実施形態で提供されるデータ伝送方法によると、第２通信装置は、伝送されるべきデータの且つ第１通信装置により送信された変調及び符号化方式ＭＣＳを受信し、第１通信装置により送信された伝送されるべきデータを受信し、伝送されるべきデータのＭＣＳに基づき伝送されるべきデータを復調及び復号し、又は伝送されるべきデータのＭＣＳに基づき伝送されるべきデータを符号化及び変調し、符号化及び変調した伝送されるべきデータを第１通信装置へ送信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０１９９】
図１及び図２に対応する前述の実施形態に基づき、本発明の一実施形態では、図１Ａ及び１Ｂ及び図２Ａ及び２Ｂに対応する実施形態において記載されたデータ伝送方法を説明するための例として４つの特定の適用シナリオが用いられる。４つの適用シナリオでは、第１通信装置は基地局であって良く、第２通信装置はＵＥであって良い。基地局とＵＥとの間のデータ伝送が説明のための一例として用いられる。詳細は以下の通りである。
【０２００】
第１適用シナリオでは、図３Ａ及び図３Ｂを参照して、図３Ａはダウンリンクデータ伝送処理を示し、図３Ｂはアップリンクデータ伝送処理を示す。具体的に、本発明の本実施形態で提供されるデータ伝送方法は以下のステップを含む。
【０２０１】
３０１。基地局は、複数の伝送品質目標から第１伝送品質目標を決定する。
【０２０２】
３０２。基地局は、第１伝送品質目標をＵＥへ送信する。
【０２０３】
３０３。ＵＥは、基地局により送信された第１伝送品質目標に基づきチャネルを測定し、第１チャネル品質情報を生成する。
【０２０４】
３０４。ＵＥは、第１チャネル品質情報を基地局へ送信する。
【０２０５】
３０５。基地局は、第１チャネル品質情報に基づき伝送されるべきデータのＭＣＳを決定する。
【０２０６】
ダウンリンクデータ伝送の間、方法は以下のステップを更に含む。
【０２０７】
３０６ａ。基地局は、ＵＥへ、伝送されるべきデータのＭＣＳ、及び伝送されるべきデータのＭＣＳに基づき符号化及び変調された伝送されるべきデータを送信する。
【０２０８】
アップリンクデータ伝送の間、方法は以下のステップを更に含む。
【０２０９】
３０６ｂ。基地局は、伝送されるべきデータのＭＣＳをＵＥへ送信する。
【０２１０】
３０７ｂ。伝送されるべきデータの且つ基地局により送信されたＭＣＳに基づき伝送されるべきデータを符号化及び変調した後に、ＵＥは、符号化及び変調された伝送されるべきデータを基地局へ送信する。
【０２１１】
第２適用シナリオでは、図４Ａ及び図４Ｂを参照して、図４Ａはダウンリンクデータ伝送処理を示し、図４Ｂはアップリンクデータ伝送処理を示す。具体的に、本発明の本実施形態で提供されるデータ伝送方法は以下のステップを含む。
【０２１２】
４０１。ＵＥは、複数の伝送品質目標から第１伝送品質目標を決定する。
【０２１３】
４０２。ＵＥは、第１伝送品質目標を基地局へ送信する。
【０２１４】
４０３。ＵＥは、第１伝送品質目標に基づきチャネルを測定し、第１チャネル品質情報を生成する。
【０２１５】
４０４。ＵＥは、第１チャネル品質情報を基地局へ送信する。
【０２１６】
４０５。基地局は、第１チャネル品質情報に基づき伝送されるべきデータのＭＣＳを決定する。
【０２１７】
ダウンリンクデータ伝送の間、方法は以下のステップを更に含む。
【０２１８】
４０６ａ。基地局は、ＵＥへ、伝送されるべきデータのＭＣＳ、及び伝送されるべきデータのＭＣＳに基づき符号化及び変調された伝送されるべきデータを送信する。
【０２１９】
アップリンクデータ伝送の間、方法は以下のステップを更に含む。
【０２２０】
４０６ｂ。基地局は、伝送されるべきデータのＭＣＳをＵＥへ送信する。
【０２２１】
４０７ｂ。伝送されるべきデータの且つ基地局により送信されたＭＣＳに基づき伝送されるべきデータを符号化及び変調した後に、ＵＥは、符号化及び変調された伝送されるべきデータを基地局へ送信する。
【０２２２】
第３適用シナリオでは、図５Ａ及び図５Ｂを参照して、図５Ａはダウンリンクデータ伝送処理を示し、図５Ｂはアップリンクデータ伝送処理を示す。本発明の本実施形態で提供されるデータ伝送方法は以下のステップを含む。
【０２２３】
５０１。ＵＥは、第２伝送品質目標に基づきチャネルを測定し、第２チャネル品質情報を生成する。
【０２２４】
５０２。ＵＥは、第２チャネル品質情報を基地局へ送信する。
【０２２５】
５０３。基地局は、第２伝送品質目標が第１伝送品質目標と同じか否かを決定する。
【０２２６】
第２伝送品質目標が第１伝送品質目標と異なるとき、ステップ５０５が実行される前に、ステップ５０４が実行される。第２伝送品質目標が第１伝送品質目標と同じとき、ステップ５０５が直接実行される。
【０２２７】
５０４。基地局は、第２チャネル品質情報に基づき第１チャネル品質情報を取得する。
【０２２８】
第２チャネル品質情報は、第２伝送品質目標に基づき測定を通じて取得され、基地局は、第２チャネル品質情報を、第１伝送品質目標に特有の第１チャネル品質情報に変換する。
【０２２９】
５０５。基地局は、第１チャネル品質情報に基づき伝送されるべきデータのＭＣＳを決定する。
【０２３０】
ダウンリンクデータ伝送の間、方法は以下のステップを更に含む。
【０２３１】
５０６ａ。基地局は、ＵＥへ、伝送されるべきデータのＭＣＳ、及び伝送されるべきデータのＭＣＳに基づき符号化及び変調された伝送されるべきデータを送信する。
【０２３２】
アップリンクデータ伝送の間、方法は以下のステップを更に含む。
【０２３３】
５０６ｂ。基地局は、伝送されるべきデータのＭＣＳをＵＥへ送信する。
【０２３４】
５０７ｂ。伝送されるべきデータの且つ基地局により送信されたＭＣＳに基づき伝送されるべきデータを符号化及び変調した後に、ＵＥは、符号化及び変調された伝送されるべきデータを基地局へ送信する。
【０２３５】
第４適用シナリオでは、図６Ａ及び図６Ｂを参照して、図６Ａはダウンリンクデータ伝送処理を示し、図６Ｂはアップリンクデータ伝送処理を示す。本発明の本実施形態で提供されるデータ伝送方法は以下のステップを含む。
【０２３６】
６０１。基地局は、複数の伝送品質目標から第１伝送品質目標を決定する。
【０２３７】
６０２。ＵＥはサウンディング信号を基地局へ送信する。
【０２３８】
６０３。基地局は、第１伝送品質目標に基づき、ＵＥにより送信されたサウンディング信号のチャネル品質を測定し、第１チャネル品質情報を生成する。
【０２３９】
６０４。基地局は、第１チャネル品質情報に基づき伝送されるべきデータのＭＣＳを決定する。
【０２４０】
ダウンリンクデータ伝送の間、方法は以下のステップを更に含む。
【０２４１】
６０５ａ。基地局は、ＵＥへ、伝送されるべきデータのＭＣＳ、及び伝送されるべきデータのＭＣＳに基づき符号化及び変調された伝送されるべきデータを送信する。
【０２４２】
アップリンクデータ伝送の間、方法は以下のステップを更に含む。
【０２４３】
６０５ｂ。基地局は、伝送されるべきデータのＭＣＳをＵＥへ送信する。
【０２４４】
６０６ｂ。伝送されるべきデータの且つ基地局により送信されたＭＣＳに基づき伝送されるべきデータを符号化及び変調した後に、ＵＥは、符号化及び変調された伝送されるべきデータを基地局へ送信する。
【０２４５】
本発明の本実施形態で提供されるデータ伝送方法によると、第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０２４６】
図１Ａ、図３Ａ、図４Ａ、図５Ａ、又は図６Ａに対応する実施形態で説明したデータ伝送方法に基づき、本発明の一実施形態は、図１Ａ、図３Ａ、図４Ａ、図５Ａ、又は図６Ａに対応する実施形態で説明したデータ伝送方法を実行するよう構成された第１通信装置を提供する。図７を参照すると、第１通信装置７０は、処理ユニット７０１と、送信ユニット７０２と、を含む。
【０２４７】
処理ユニット７０１は、第１伝送品質目標及び第１チャネル品質情報を取得するよう構成される。第１チャネル品質情報は、第１通信装置と第２通信装置との間のチャネルの品質を示すために使用され、第１チャネル品質情報は第１伝送品質目標に基づき取得される。
【０２４８】
処理ユニット７０１は、第１伝送品質目標及び第１チャネル品質情報に基づき、伝送されるべきデータの変調及び符号化方式ＭＣＳを決定し、伝送されるべきデータのＭＣＳに基づき、伝送されるべきデータを符号化及び変調するよう更に構成される。
【０２４９】
送信ユニット７０２は、第２通信装置へ、伝送されるべきデータのＭＣＳ、及び処理ユニット７０１により符号化及び変調された伝送されるべきデータを送信するよう構成される。
【０２５０】
図１Ｂ、図３Ｂ、図４Ｂ、図５Ｂ、又は図６Ｂに対応する実施形態で説明したデータ伝送方法を参照して、第１通信装置７０は受信ユニット７０３を更に含む。第１通信装置７０は、図１Ｂ、図３Ｂ、図４Ｂ、図５Ｂ、又は図６Ｂに対応する実施形態で説明したデータ伝送方法を実行するよう更に構成されて良い。
【０２５１】
処理ユニット７０１は、第１伝送品質目標及び第１チャネル品質情報を取得するよう構成される。第１チャネル品質情報は、第１通信装置と第２通信装置との間のチャネルの品質を示すために使用され、第１チャネル品質情報は第１伝送品質目標に基づき取得される。
【０２５２】
処理ユニット７０１は、第１伝送品質目標及び第１チャネル品質情報に基づき、伝送されるべきデータの変調及び符号化方式ＭＣＳを決定するよう更に構成される。
【０２５３】
送信ユニット７０２は、伝送されるべきデータのＭＣＳを第２通信装置へ送信するよう構成される。
【０２５４】
受信ユニット７０３は、伝送されるべきデータのＭＣＳに基づき第２通信装置により符号化及び変調された伝送されるべきデータを受信するよう構成される。
【０２５５】
任意で、処理ユニット７０１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。
【０２５６】
さらに、送信ユニット７０２は、第１伝送品質目標を第２通信装置へ送信するよう構成され、処理ユニット７０１は、受信ユニット７０３を用いて、第２通信装置により送信された第１チャネル品質情報を受信するよう更に構成される。
【０２５７】
任意で、受信ユニット７０３は、第２通信装置により送信された第２チャネル品質情報を受信するよう更に構成される。第２チャネル品質情報は、第１通信装置と第２通信装置との間のチャネルの且つ第２通信装置により第２伝送品質目標に基づき測定された品質である。
【０２５８】
処理ユニット７０１は、第２チャネル品質情報に基づき第１チャネル品質情報を取得するよう更に構成される。
【０２５９】
任意で、処理ユニット７０１は、受信ユニット７０３を用いて、第２通信装置により送信された第１伝送品質目標を受信するよう更に構成される。
【０２６０】
任意で、処理ユニット７０１は、第２通信装置により送信されたサウンディング信号のチャネル品質を測定し、第１チャネル品質情報を生成するよう更に構成される。
【０２６１】
任意で、処理ユニット７０１は、プリセットマッピング関係又はプリセットマッピングリストに従い、並びに第１伝送品質目標及び第１チャネル品質情報に基づき、伝送されるべきデータのＭＣＳを決定するよう更に構成される。
【０２６２】
任意で、処理ユニット７０１は、受信ユニット７０３を用いて、第２通信装置により送信された第１チャネル品質情報を受信するよう更に構成される。
【０２６３】
任意で、伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０２６４】
任意で、第１チャネル品質情報は、チャネル品質指示子ＣＱＩ、プリコーディング行列指示子ＰＭＩ、及びランク指示ＲＩ、のうちの少なくとも１つを含む。
【０２６５】
本発明の本実施形態で提供される第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調して、符号化及び復調された伝送されるべきデータを第２通信装置へ送信し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０２６６】
図２Ａ、図３Ａ、図４Ａ、図５Ａ、又は図６Ａに対応する実施形態で説明したデータ伝送方法に基づき、本発明の一実施形態は、図２Ａ、図３Ａ、図４Ａ、図５Ａ、又は図６Ａに対応する実施形態で説明したデータ伝送方法を実行するよう構成された第２通信装置を提供する。図８を参照すると、第１通信装置８０は、処理ユニット８０１と、送信ユニット８０２と、を含む。
【０２６７】
受信ユニット８０２は、伝送されるべきデータの且つ第１通信装置により送信された変調及び符号化方式ＭＣＳを受信するよう構成される。伝送されるべきデータのＭＣＳは、第１伝送品質目標及び第１チャネル品質情報に基づき、第１通信装置により決定される。
【０２６８】
受信ユニット８０２は、第１通信装置により送信された伝送されるべきデータを受信するよう更に構成され、処理ユニット８０１は、伝送されるべきデータのＭＣＳに基づき伝送されるべきデータを復調及び復号するよう構成される。
【０２６９】
任意的に、処理ユニット８０１は、第１伝送品質目標を取得し、第１伝送品質目標に基づき第１チャネル品質情報を生成するよう更に構成される。
【０２７０】
送信ユニット８０３は、第１通信装置へ第１チャネル品質情報を送信するよう更に構成される。
【０２７１】
図２Ｂ、図３Ｂ、図４Ｂ、図５Ｂ、又は図６Ｂに対応する実施形態で説明したデータ伝送方法を参照して、第２通信装置８０は、図２Ｂ、図３Ｂ、図４Ｂ、図５Ｂ、又は図６Ｂに対応する実施形態で説明したデータ伝送方法を実行するよう更に構成されて良い。
【０２７２】
受信ユニット８０２は、伝送されるべきデータの且つ第１通信装置により送信された変調及び符号化方式ＭＣＳを受信するよう構成される。伝送されるべきデータのＭＣＳは、第１伝送品質目標及び第１チャネル品質情報に基づき、第１通信装置により決定される。
【０２７３】
処理ユニット８０１は、伝送されるべきデータのＭＣＳに基づき、伝送されるべきデータを符号化及び変調するよう構成される。
【０２７４】
送信ユニット８０３は、伝送されるべきデータを第１通信装置へ送信するよう構成される。
【０２７５】
任意で、処理ユニット８０１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。さらに、送信ユニット８０３は、第１通信装置へ第１伝送品質目標を送信するよう構成される。
【０２７６】
代替として、処理ユニット８０１は、受信ユニット８０２を用いて、第１通信装置により送信された第１伝送品質目標を受信するよう更に構成される。
【０２７７】
さらに、任意で、処理ユニット８０１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。
【０２７８】
送信ユニット８０３は、第１通信装置へ第１伝送品質目標を送信するよう更に構成される。
【０２７９】
任意で、処理ユニット８０１は、第２伝送品質目標に基づきチャネルを測定し、第２チャネル品質情報を生成するよう更に構成される。
【０２８０】
送信ユニット８０３は、第１通信装置へ第２チャネル品質情報を送信するよう更に構成される。
【０２８１】
任意で、伝送されるべきデータのＭＣＳが、プリセットマッピング関係又はプリセットマッピングリストに従い、並びに第１伝送品質目標及び第１チャネル品質情報に基づき、第１通信装置により決定される。
【０２８２】
任意で、伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０２８３】
任意で、第１チャネル品質情報は、チャネル品質指示子ＣＱＩ、プリコーディング行列指示子ＰＭＩ、及びランク指示ＲＩ、のうちの少なくとも１つを含む。
【０２８４】
本発明の本実施形態で提供される第２通信装置は、伝送されるべきデータの且つ第１通信装置により送信された変調及び符号化方式ＭＣＳを受信し、第１通信装置により送信された伝送されるべきデータを受信し、伝送されるべきデータのＭＣＳに基づき伝送されるべきデータを復調及び復号し、又は伝送されるべきデータのＭＣＳに基づき伝送されるべきデータを符号化及び変調し、符号化及び変調した伝送されるべきデータを第１通信装置へ送信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０２８５】
図１Ａ、図３Ａ、図４Ａ、図５Ａ、又は図６Ａに対応する実施形態で説明したデータ伝送方法に基づき、本発明の別の実施形態は、図１Ａ、図３Ａ、図４Ａ、図５Ａ、又は図６Ａに対応する実施形態で説明したデータ伝送方法を実行するよう構成された第１通信装置を提供する。図９を参照すると、第１通信装置９０は、プロセッサ９０１、メモリ９０２、送信機９０３、及び受信機９０４を含む。プロセッサ９０１、メモリ９０２送信機９０４、及び受信機９０４は、互いに接続される。メモリ９０２はデータ及びプログラムを格納するよう構成され、プロセッサ９０１は、送信機９０３及び受信機９０４を用いて、図１Ａ、図３Ａ、図４Ａ、図５Ａ、又は図６Ａに対応する実施形態で説明したデータ伝送方法を実行するために、メモリ９０２に格納されたプログラムを呼び出すよう構成される。
【０２８６】
プロセッサ９０１は、第１伝送品質目標及び第１チャネル品質情報を取得するよう構成される。第１チャネル品質情報は、第１通信装置と第２通信装置との間のチャネルの品質を示すために使用され、第１チャネル品質情報は第１伝送品質目標に基づき取得される。
【０２８７】
プロセッサ９０１は、第１伝送品質目標及び第１チャネル品質情報に基づき、伝送されるべきデータの変調及び符号化方式ＭＣＳを決定し、伝送されるべきデータのＭＣＳに基づき、伝送されるべきデータを符号化及び変調するよう更に構成される。
【０２８８】
プロセッサ９０１は、送信機９０３を用いて、第２通信装置へ、伝送されるべきデータのＭＣＳ、及び符号化及び変調された伝送されるべきデータを送信するよう更に構成される。
【０２８９】
図１Ｂ、図３Ｂ、図４Ｂ、図５Ｂ、又は図６Ｂに対応する実施形態で説明したデータ伝送方法を参照して、第１通信装置９０は、図１Ｂ、図３Ｂ、図４Ｂ、図５Ｂ、又は図６Ｂに対応する実施形態で説明したデータ伝送方法を実行するよう更に構成されて良い。
【０２９０】
プロセッサ９０１は、第１伝送品質目標及び第１チャネル品質情報を取得するよう構成される。第１チャネル品質情報は、第１通信装置と第２通信装置との間のチャネルの品質を示すために使用され、第１チャネル品質情報は第１伝送品質目標に基づき取得される。
【０２９１】
プロセッサ９０１は、第１伝送品質目標及び第１チャネル品質情報に基づき、伝送されるべきデータの変調及び符号化方式ＭＣＳを決定するよう更に構成される。
【０２９２】
プロセッサは、送信機９０３を用いて、第２通信装置へ、伝送されるべきデータのＭＣＳを送信するよう更に構成される。
【０２９３】
プロセッサは、受信機９０４を用いて、伝送されるべきデータのＭＣＳに基づき第２通信装置により符号化及び変調された伝送されるべきデータを受信するよう更に構成される。
【０２９４】
任意で、プロセッサ９０１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。
【０２９５】
さらに、プロセッサ９０１は、送信機９０３を用いて、第２通信装置へ、第１伝送品質目標を送信するよう構成され、プロセッサ９０１は、受信機９０４を用いて、第２通信装置により送信された第１チャネル品質情報を受信するよう更に構成される。
【０２９６】
任意で、プロセッサ９０１は、受信機９０４を用いて、第２通信装置により送信された第２チャネル品質情報を受信するよう更に構成される。第２チャネル品質情報は、第１通信装置と第２通信装置との間のチャネルの且つ第２通信装置により第２伝送品質目標に基づき測定された品質である。
【０２９７】
プロセッサ９０１は、第２チャネル品質情報に基づき第１チャネル品質情報を取得するよう更に構成される。
【０２９８】
任意で、プロセッサ９０１は、受信機９０４を用いて、第２通信装置により送信された第１伝送品質目標を受信するよう更に構成される。
【０２９９】
任意で、プロセッサ９０１は、第２通信装置により送信されたサウンディング信号のチャネル品質を測定し、第１チャネル品質情報を生成するよう更に構成される。
【０３００】
任意で、プロセッサ９０１は、プリセットマッピング関係又はプリセットマッピングリストに従い、並びに第１伝送品質目標及び第１チャネル品質情報に基づき、伝送されるべきデータのＭＣＳを決定するよう更に構成される。
【０３０１】
任意で、伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０３０２】
任意で、第１チャネル品質情報は、チャネル品質指示子ＣＱＩ、プリコーディング行列指示子ＰＭＩ、及びランク指示ＲＩ、のうちの少なくとも１つを含む。
【０３０３】
本発明の本実施形態で提供される第１通信装置は、第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調して、符号化及び復調された伝送されるべきデータを第２通信装置へ送信し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０３０４】
図２Ａ、図３Ａ、図４Ａ、図５Ａ、又は図６Ａに対応する実施形態で説明したデータ伝送方法に基づき、本発明の一実施形態は、図２Ａ、図３Ａ、図４Ａ、図５Ａ、又は図６Ａに対応する実施形態で説明したデータ伝送方法を実行するよう構成された第２通信装置を提供する。図１０を参照すると、第２通信装置１００は、プロセッサ１００１、メモリ１００２、送信機１００３、及び受信機１００４を含む。プロセッサ１００１、メモリ１００２送信機１００３、及び受信機１００４は、互いに接続される。メモリ１００２はデータ及びプログラムを格納するよう構成され、プロセッサ１００１は、送信機１００３及び受信機１００４を用いて、図２Ａ、図３Ａ、図４Ａ、図５Ａ、又は図６Ａに対応する実施形態で説明したデータ伝送方法を実行するために、メモリ１００２に格納されたプログラムを呼び出すよう構成される。
【０３０５】
プロセッサ１００１は、受信機１００４を用いて、伝送されるべきデータの且つ第１通信装置により送信された変調及び符号化方式ＭＣＳを受信するよう構成される。伝送されるべきデータのＭＣＳは、第１伝送品質目標及び第１チャネル品質情報に基づき、第１通信装置により決定される。
【０３０６】
プロセッサ１００１は、受信機１００４を用いて、第１通信装置により送信された伝送されるべきデータを受信し、伝送されるべきデータのＭＣＳに基づき伝送されるべきデータを復調及び復号するよう更に構成される。
【０３０７】
図２Ｂ、図３Ｂ、図４Ｂ、図５Ｂ、又は図６Ｂに対応する実施形態で説明したデータ伝送方法を参照して、第２通信装置１００は、図２Ｂ、図３Ｂ、図４Ｂ、図５Ｂ、又は図６Ｂに対応する実施形態で説明したデータ伝送方法を実行するよう更に構成されて良い。
【０３０８】
プロセッサ１００１は、受信機１００４を用いて、伝送されるべきデータの且つ第１通信装置により送信された変調及び符号化方式ＭＣＳを受信するよう構成される。伝送されるべきデータのＭＣＳは、第１伝送品質目標及び第１チャネル品質情報に基づき、第１通信装置により決定される。
【０３０９】
プロセッサ１００１は、伝送されるべきデータのＭＣＳに基づき伝送されるべきデータを符号化及び変調し、送信機１００３を用いて、符号化及び変調された伝送されるべきデータを第１通信装置へ送信するよう更に構成される。
【０３１０】
任意で、プロセッサ１００１は、第１伝送品質目標を取得し、第１伝送品質目標に基づき第１チャネル品質情報を生成するよう更に構成される。
【０３１１】
プロセッサ１００１は、送信機１００３を用いて、第１通信装置へ、第１チャネル品質情報を送信するよう更に構成される。
【０３１２】
任意で、プロセッサ１００１は、伝送されるべきデータの遅延要件及び信頼性要件に基づき、複数の伝送品質目標から第１伝送品質目標を決定するよう更に構成される。伝送されるべきデータの遅延要件が低いほど、高い第１伝送品質目標を示す。伝送されるべきデータの信頼性要件が高いほど、高い第１伝送品質目標を示す。さらに、プロセッサ１００１は、送信機１００３を用いて、第１通信装置へ、第１伝送品質目標を送信するよう構成される。
【０３１３】
代替として、任意で、プロセッサ１００１は、受信機１００４を用いて、第１通信装置により送信された第１伝送品質目標を受信するよう更に構成される。
【０３１４】
任意で、プロセッサ１００１は、伝送されるべきデータの遅延要件及び信頼性要件に基づき、複数の伝送品質目標から第１伝送品質目標を決定し、送信機１００３を用いて、第１通信装置へ、第１伝送品質目標を送信するよう更に構成される。伝送されるべきデータの遅延要件が低いほど、高い第１伝送品質目標を示す。伝送されるべきデータの信頼性要件が高いほど、高い第１伝送品質目標を示す。
【０３１５】
任意で、プロセッサ１００１は、第２伝送品質目標に基づきチャネルを測定し、第２チャネル品質情報を生成するよう更に構成される。
【０３１６】
プロセッサ１００１は、送信機１００３を用いて、第１通信装置へ、第２チャネル品質情報を送信するよう更に構成される。
【０３１７】
任意で、伝送されるべきデータのＭＣＳが、プリセットマッピング関係又はプリセットマッピングリストに従い、並びに第１伝送品質目標及び第１チャネル品質情報に基づき、第１通信装置により決定される。
【０３１８】
任意で、伝送品質目標は、目標ブロック誤り率ＢＬＥＲ、目標信号対雑音比ＳＮＲ、サービス種類、伝送目標に関連するパラメータ、のうちの少なくとも１つを含む。例えば、目標ＢＬＥＲは０．１又は０．００００１であり、目標信号対雑音比ＳＮＲは３ｄＢ又は６ｄＢであり、又は、サービスは低遅延且つ高信頼性サービス又は一般的サービスである。伝送目標に関するパラメータ、例えばＨＡＲＱの数に関し、ＨＡＲＱの数は０又は８である。ＨＡＲＱの数が０である場合、対応するサービスは低遅延且つ高信頼性サービスである。ＨＡＲＱの数が８である場合、対応するサービスは一般的サービスである。
【０３１９】
任意で、第１チャネル品質情報は、チャネル品質指示子ＣＱＩ、プリコーディング行列指示子ＰＭＩ、及びランク指示ＲＩ、のうちの少なくとも１つを含む。
【０３２０】
本発明の本実施形態で提供される第２通信装置は、伝送されるべきデータの且つ第１通信装置により送信された変調及び符号化方式ＭＣＳを受信し、第１通信装置により送信された伝送されるべきデータを受信し、伝送されるべきデータのＭＣＳに基づき伝送されるべきデータを復調及び復号し、又は伝送されるべきデータのＭＣＳに基づき伝送されるべきデータを符号化及び変調し、符号化及び変調した伝送されるべきデータを第１通信装置へ送信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０３２１】
図１及び図１０に対応する前述の実施形態に基づき、本発明の一実施形態は、図１〜図６Ｂに対応する実施形態において記載されたデータ伝送方法を実行するよう構成される無線通信システムを提供する。図１１を参照すると、無線通信システム１１０は、第１通信装置１１０１と、第２通信装置１１０２と、を含む。
【０３２２】
第１通信装置は図７に対応する実施形態において記載された第１通信装置であり、第２通信装置は図８に対応する実施形態において記載された第２通信装置である。
【０３２３】
代替として、第１通信装置は図９に対応する実施形態において記載された第１通信装置であり、第２通信装置は図１０に対応する実施形態において記載された第２通信装置である。
【０３２４】
本発明の本実施形態で提供される無線通信システムでは、第１通信装置は第１伝送品質目標及び第１チャネル品質情報を取得し、第１伝送品質目標及び第１チャネル品質情報に基づき伝送されるべきデータの変調及び符号化方式ＭＣＳを決定し、伝送されるべきデータのＭＣＳを第２通信装置へ送信し、伝送されるべきデータのＭＣＳに基づき伝送されるべきデータを符号化及び変調して、符号化及び復調された伝送されるべきデータを第２通信装置へ送信し、又は伝送されるべきデータのＭＣＳに基づき第２通信装置により符号化及び変調された伝送されるべきデータを受信する。伝送されるべきデータのＭＣＳは、第１伝送品質目標及び第１チャネル品質情報に基づき決定されるので、ＭＣＳは、データが伝送される度に、その都度伝送されるデータの伝送品質目標及び第１チャネル品質情報に基づき決定され、伝送品質目標が低遅延且つ高信頼性サービスの要件及びシステム効率要件を同時に満たすことができないという従来の問題を解決する。
【０３２５】
当業者は、実施形態のステップの全部又は一部が、ハードウェア又は関連するハードウェアに指示するプログラムにより実装されても良いことを理解する。プログラムは、コンピュータ可読記憶媒体に格納されて良い。記憶媒体は、読み出し専用メモリ、磁気ディスク、光ディスク、等を含み得る。
【０３２６】
上述の説明は、本発明の単なる例示的な実施形態であり、本発明を制限することを意図しない。本発明の原理から逸脱することなく行われる変更、等価置換、及び改良は、本発明の保護範囲に含まれるべきである。
【手続補正２】
【補正対象書類名】特許請求の範囲
【補正対象項目名】全文
【補正方法】変更
【補正の内容】
【特許請求の範囲】
【請求項１】
データ伝送方法であって、
第１通信装置により、第１伝送品質目標を取得するステップと、
前記第１通信装置により、第１チャネル品質情報を取得するステップであって、前記第１チャネル品質情報は、前記第１通信装置と第２通信装置との間のチャネルの品質を示すために使用され、前記第１チャネル品質情報は前記第１伝送品質目標に基づき取得される、ステップと、
前記第１通信装置により、前記第１伝送品質目標及び前記第１チャネル品質情報に基づき、伝送されるべきデータの変調及び符号化方式、ＭＣＳ、を決定し、前記伝送されるべきデータの前記ＭＣＳに基づき、前記伝送されるべきデータを符号化及び変調するステップと、
前記第１通信装置により、前記伝送されるべきデータの前記ＭＣＳ及び前記符号化及び変調された伝送されるべきデータを前記第２通信装置へ送信するステップと、
を含むことにより特徴付けられる方法。
【請求項２】
第１通信装置により、第１伝送品質目標を取得する前記ステップは、
前記第１通信装置により、前記伝送されるべきデータの遅延要件及び信頼性要件に基づき、複数の伝送品質目標から前記第１伝送品質目標を決定するステップを含む、請求項１に記載の方法。
【請求項３】
前記方法は、
前記第１通信装置により、前記第２通信装置へ前記第１伝送品質目標を送信するステップ、を更に含み、
前記第１通信装置により、第１チャネル品質情報を取得する前記ステップは、
前記第１通信装置により、前記第２通信装置により送信された前記第１チャネル品質情報を受信するステップを含む、
請求項２に記載の方法。
【請求項４】
前記第１通信装置により、第１チャネル品質情報を取得する前記ステップは、
前記第１通信装置により、前記第２通信装置により送信された前記第１チャネル品質情報を受信するステップを含む、請求項１又は２に記載の方法。
【請求項５】
前記伝送品質目標は、目標ブロック誤り率（ＢＬＥＲ）、目標信号対雑音比（ＳＮＲ）、サービス種類、伝送目標に関連するパラメータ、のうちの少なくとも１つを含む、請求項１乃至４のいずれか一項に記載の方法。
【請求項６】
前記第１チャネル品質情報は、チャネル品質指示子（ＣＱＩ）、プリコーディング行列指示子（ＰＭＩ）、及びランク指示（ＲＩ）、のうちの少なくとも１つを含む、請求項１乃至５のいずれか一項に記載の方法。
【請求項７】
データ伝送方法であって、
第２通信装置により、伝送されるべきデータの且つ第１通信装置により送信された変調及び符号化方式、ＭＣＳ、を受信するステップであって、前記伝送されるべきデータの前記ＭＣＳは、第１伝送品質目標及び第１チャネル品質情報に基づき前記第１通信装置により決定される、ステップと、
前記第２通信装置により、前記第１通信装置により送信された前記伝送されるべきデータを受信し、前記伝送されるべきデータの前記ＭＣＳに基づき前記伝送されるべきデータを復調及び復号するステップと、
を含むことにより特徴付けられる方法。
【請求項８】
第２通信装置により、伝送されるべきデータの且つ第１通信装置により送信された変調及び符号化方式（ＭＣＳ）を受信する前記ステップの前に、前記方法は、
前記第２通信装置により、前記第１伝送品質目標を取得し、前記第１伝送品質目標に基づき前記第１チャネル品質情報を生成するステップと、
前記第２通信装置により、前記第１通信装置へ前記第１チャネル品質情報を送信するステップと、
を更に含む請求項７に記載の方法。
【請求項９】
前記第２通信装置により、前記第１伝送品質目標を取得する前記ステップは、
前記第２通信装置により、前記伝送されるべきデータの遅延要件及び信頼性要件に基づき、複数の伝送品質目標から前記第１伝送品質目標を決定するステップを含む、請求項８に記載の方法。
【請求項１０】
前記第２通信装置により、前記第１伝送品質目標を取得する前記ステップは、
前記第２通信装置により、前記第１通信装置により送信された前記第１伝送品質目標を受信するステップを含む、請求項８に記載の方法。
【請求項１１】
前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される、請求項７乃至１０のいずれか一項に記載の方法。
【請求項１２】
前記伝送品質目標は、目標ブロック誤り率（ＢＬＥＲ）、目標信号対雑音比（ＳＮＲ）、サービス種類、伝送目標に関連するパラメータ、のうちの少なくとも１つを含む、請求項７乃至１１のいずれか一項に記載の方法。
【請求項１３】
前記第１チャネル品質情報は、チャネル品質指示子（ＣＱＩ）、プリコーディング行列指示子（ＰＭＩ）、及びランク指示（ＲＩ）、のうちの少なくとも１つを含む、請求項７乃至１２のいずれか一項に記載の方法。
【請求項１４】
第１通信装置であって、処理ユニットと送信ユニットとを含むことにより特徴付けられ、
前記処理ユニットは、第１伝送品質目標及び第１チャネル品質情報を取得するよう構成され、前記第１チャネル品質情報は、前記第１通信装置と第２通信装置との間のチャネルの品質を示すために使用され、前記第１チャネル品質情報は前記第１伝送品質目標に基づき取得され、
前記処理ユニットは、前記第１伝送品質目標及び前記第１チャネル品質情報に基づき、伝送されるべきデータの変調及び符号化方式（ＭＣＳ）を決定し、前記伝送されるべきデータの前記ＭＣＳに基づき、前記伝送されるべきデータを符号化及び変調するよう更に構成され、
前記送信ユニットは、前記第２通信装置へ、前記伝送されるべきデータの前記ＭＣＳ及び前記処理ユニットにより符号化及び変調された前記伝送されるべきデータを送信するよう構成される、
第１通信装置。
【請求項１５】
前記処理ユニットは、前記伝送されるべきデータの遅延要件及び信頼性要件に基づき、複数の伝送品質目標から前記第１伝送品質目標を決定するよう更に構成される、請求項１４に記載の装置。
【請求項１６】
前記第１通信装置は、受信ユニットを更に含み、
前記送信ユニットは、前記第２通信装置へ、前記第１伝送品質目標を送信するよう更に構成され、
前記処理ユニットは、前記受信ユニットを用いて、前記第２通信装置により送信された前記第１チャネル品質情報を受信するよう更に構成される、
請求項１５に記載の装置。
【請求項１７】
前記第１通信装置は、受信ユニットを更に含み、
前記処理ユニットは、前記受信ユニットを用いて、前記第２通信装置により送信された前記第１チャネル品質情報を受信するよう更に構成される、請求項１４又は１５に記載の装置。
【請求項１８】
前記伝送品質目標は、目標ブロック誤り率（ＢＬＥＲ）、目標信号対雑音比（ＳＮＲ）、サービス種類、伝送目標に関連するパラメータ、のうちの少なくとも１つを含む、請求項１４乃至１７のいずれか一項に記載の装置。
【請求項１９】
前記第１チャネル品質情報は、チャネル品質指示子（ＣＱＩ）、プリコーディング行列指示子（ＰＭＩ）、及びランク指示（ＲＩ）、のうちの少なくとも１つを含む、請求項１４乃至１８のいずれか一項に記載の装置。
【請求項２０】
第２通信装置であって、処理ユニットと受信ユニットとを含むことにより特徴付けられ、
前記受信ユニットは、伝送されるべきデータの且つ第１通信装置により送信された変調及び符号化方式（ＭＣＳ）を受信するよう構成され、前記伝送されるべきデータの前記ＭＣＳは、第１伝送品質目標及び第１チャネル品質情報に基づき前記第１通信装置により決定され、
前記受信ユニットは、前記第１通信装置により送信された前記伝送されるべきデータを受信するよう更に構成され、
前記処理ユニットは、前記伝送されるべきデータの前記ＭＣＳに基づき、前記伝送されるべきデータを復調及び復号するよう構成される、
第２通信装置。
【請求項２１】
前記処理ユニットは、前記第１伝送品質目標を取得し、前記第１伝送品質目標に基づき前記第１チャネル品質情報を生成するよう更に構成され、
前記第２通信装置は、前記第１通信装置へ前記第１チャネル品質情報を送信するよう構成される送信ユニットを更に含む、
請求項２０に記載の装置。
【請求項２２】
前記処理ユニットは、前記伝送されるべきデータの遅延要件及び信頼性要件に基づき、複数の伝送品質目標から前記第１伝送品質目標を決定するよう更に構成される、請求項２１に記載の装置。
【請求項２３】
前記処理ユニットは、前記受信ユニットを用いて、前記第１通信装置により送信された前記第１伝送品質目標を受信するよう更に構成される、請求項２１に記載の装置。
【請求項２４】
前記伝送されるべきデータの前記ＭＣＳは、プリセットマッピング関係又はプリセットマッピングリストに従い、並びに前記第１伝送品質目標及び前記第１チャネル品質情報に基づき、前記第１通信装置により決定される、請求項２０乃至２３のいずれか一項に記載の装置。
【請求項２５】
前記伝送品質目標は、目標ブロック誤り率（ＢＬＥＲ）、目標信号対雑音比（ＳＮＲ）、サービス種類、伝送目標に関連するパラメータ、のうちの少なくとも１つを含む、請求項２０乃至２４のいずれか一項に記載の装置。
【請求項２６】
前記第１チャネル品質情報は、チャネル品質指示子（ＣＱＩ）、プリコーディング行列指示子（ＰＭＩ）、及びランク指示（ＲＩ）、のうちの少なくとも１つを含む、請求項２０乃至２５のいずれか一項に記載の装置。
【請求項２７】
コンピュータに請求項１乃至１３のいずれか一項に記載のステップを実行させるプログラム。
【請求項２８】
装置であって、
プロセッサと、
非一時的メモリであって、前記メモリは、前記プロセッサにより実行されると前記装置に請求項１乃至１３のいずれか一項に記載の方法を実行させる命令を格納する、非一時的メモリと、
を含むことにより特徴付けられる装置。
【国際調査報告】
2019522393.tif 000026
2019522393.tif 000027
2019522393.tif 000028
2019522393.tif 000029
2019522393.tif 000030